(57)【要約】  本発明は、通信分野に関連し及びＵＥ間の相互依存性誤りを較正でき、それにより通信システムの性能を保証する、ＵＥ間の相互依存性較正のための方法、機器、及び通信システムを開示する。当該方法は、第１のユーザ機器（ＵＥ）が、第１の参照信号に従って、前記第１のＵＥと通信装置との間の第１のチャネルの第１のチャネル情報を推定できるように、前記通信装置により、前記第１のＵＥへ前記第１の参照信号を送信するステップと、前記第１のＵＥによりフィードバックされる前記第１のチャネル情報を受信するステップと、前記第１のＵＥにより送信される第２の参照信号を受信するステップと、前記第２の参照信号に従って、前記通信装置と前記第１のＵＥとの間の第２のチャネルの第２のチャネル情報を推定するステップと、前記第１のチャネル情報及び前記第２のチャネル情報に従って、相互依存性較正を実行するステップと、を含む。
2017513365.tif 000002
【特許請求の範囲】
【請求項１】
ＵＥの間の相互依存性較正のための方法であって、
第１のユーザ機器（ＵＥ）が、第１の参照信号に従って、前記第１のＵＥと通信装置との間の第１のチャネルの第１のチャネル情報を推定できるように、前記通信装置により、前記第１のＵＥへ前記第１の参照信号を送信するステップと、
前記第１のＵＥによりフィードバックされる前記第１のチャネル情報を受信するステップと、
前記第１のＵＥにより送信される第２の参照信号を受信するステップと、
前記第２の参照信号に従って、前記通信装置と前記第１のＵＥとの間の第２のチャネルの第２のチャネル情報を推定するステップと、
前記第１のチャネル情報及び前記第２のチャネル情報に従って、相互依存性較正を実行するステップと、
を含む方法。
【請求項２】
前記通信装置が第２のＵＥであるとき、通信装置により第１のユーザ機器（ＵＥ）へ第１の参照信号を送信する前に、前記方法は、
基地局が第１の較正要求に従って前記第２のＵＥ及び前記第１のＵＥへスケジューリング情報を送信できるように、前記第２のＵＥにより、前記基地局へ前記第１の較正要求を送信するステップであって、前記スケジューリング情報は、前記第１のＵＥの識別子、前記第２のＵＥの識別子、及び時間周波数リソースを有する、ステップと、
を更に含む請求項１に記載の方法。
【請求項３】
前記通信装置が基地局であるとき、通信装置により第１のユーザ機器（ＵＥ）へ第１の参照信号を送信する前に、前記方法は、
前記基地局により、前記第１のＵＥにより送信される第２の較正要求を受信し、前記第２の較正要求に従って前記第１のＵＥへスケジューリング情報を送信するステップであって、前記スケジューリング情報は、前記第１のＵＥの識別子及び時間周波数リソースを有する、ステップと、
を更に含む請求項１に記載の方法。
【請求項４】
前記第１のチャネル情報及び前記第２のチャネル情報に従って相互依存性較正を実行するステップは、具体的には、
前記第１のチャネル情報に対応する第１のチャネル行列が前記第２のチャネル情報に対応する第２のチャネル行列に等しくなるように、相互依存性係数を調整するステップ、
を含む、請求項１乃至３のいずれか一項に記載の方法。
【請求項５】
ＵＥの間の相互依存性較正のための方法であって、
第１のユーザ機器（ＵＥ）により、通信装置により送信される第１の参照信号を受信し、前記第１の参照信号に従って、前記第１のＵＥと前記通信装置との間の第１のチャネルの第１のチャネル情報を推定するステップと、
前記通信装置へ前記第１のチャネル情報を送信するステップと、
前記通信装置が、第２の参照信号に従って、前記通信装置と前記第１のＵＥとの間の第２のチャネルの第２のチャネル情報を推定し、前記第１のチャネル情報及び前記第２のチャネル情報に従って相互依存性較正を実行できるように、前記通信装置へ前記第２の参照信号を送信するステップと、
を含む方法。
【請求項６】
前記通信装置が第２のＵＥであるとき、第１のユーザ機器（ＵＥ）により、通信装置により送信される第１の参照信号を受信する前に、前記方法は、
前記第２のＵＥにより送信される第１の較正要求に従って基地局により送信されるスケジューリング情報を受信するステップであって、前記スケジューリング情報は、前記第１のＵＥの識別子、前記第２のＵＥの識別子、及び時間周波数リソースを有する、ステップと、
を更に含む請求項５に記載の方法。
【請求項７】
前記通信装置が基地局であるとき、第１のユーザ機器（ＵＥ）により、通信装置により送信される第１の参照信号を受信する前に、前記方法は、
前記基地局へ第２の較正要求を送信するステップと、
前記第２の較正要求に従って前記基地局により送信されるスケジューリング情報を受信するステップであって、前記スケジューリング情報は、前記第１のＵＥの識別子及び時間周波数リソースを有する、ステップと、
を更に含む請求項５に記載の方法。
【請求項８】
第１のユーザ機器（ＵＥ）が第１の参照信号に従って前記第１のＵＥと通信装置との間の第１のチャネルの第１のチャネル情報を推定できるように、前記第１の参照信号を前記第１のＵＥへ送信するよう構成される第１の送信ユニットと、
前記第１のＵＥによりフィードバックされる前記第１のチャネル情報を受信するよう構成される第１の受信ユニットと、
前記第１のＵＥにより送信される第２の参照信号を受信するよう構成される第２の受信ユニットと、
前記第２の受信ユニットにより受信される前記第２の参照信号に従って、前記通信装置と前記第１のＵＥとの間の第２のチャネルの第２のチャネル情報を推定するよう構成される推定ユニットと、
前記第１の受信ユニットにより受信される前記第１のチャネル情報と前記推定ユニットにより推定される前記第２のチャネル情報とに従って、相互依存性較正を実行するよう構成される較正ユニットと、
を含む通信装置。
【請求項９】
前記通信装置が第２のＵＥであるとき、前記通信装置は、
基地局が第１の較正要求に従って前記第２のＵＥ及び前記第１のＵＥへスケジューリング情報を送信できるように、前記基地局へ前記第１の較正要求を送信するよう構成される第２の送信ユニットであって、前記スケジューリング情報は、前記第１のＵＥの識別子、前記第２のＵＥの識別子、及び時間周波数リソースを有する、第２の送信ユニットと、
を更に含む請求項８に記載の通信装置。
【請求項１０】
前記通信装置が基地局であるとき、前記通信装置は、
前記第１のＵＥにより送信される第２の較正要求を受信するよう構成される第３の受信ユニットと、
前記第３の受信ユニットにより受信される前記第２の較正要求に従って、前記第１のＵＥへスケジューリング情報を送信するよう構成される第２の送信ユニットであって、前記スケジューリング情報は、前記第１のＵＥの識別子、及び時間周波数リソースを有する、第２の送信ユニットと、
を更に含む請求項８に記載の通信装置。
【請求項１１】
前記較正ユニットは、具体的には、
第１のチャネル情報に対応する第１のチャネル行列が第２のチャネル情報に対応する第２のチャネル行列に等しくなるように、相互依存性係数を調整する、
よう構成される、請求項８乃至１０のいずれか一項に記載の通信装置。
【請求項１２】
第１のユーザ機器（ＵＥ）であって、
通信装置により送信される第１の参照信号を受信するよう構成される第１の受信ユニットであって、前記第１のＵＥと前記通信装置との間の第１のチャネルの第１のチャネル情報は、前記第１の参照信号に従って推定される、第１の受信ユニットと、
前記通信装置へ前記第１のチャネル情報を送信するよう構成される第１の送信ユニットと、
前記通信装置が、第２の参照信号に従って、前記通信装置と前記第１のＵＥとの間の第２のチャネルの第２のチャネル情報を推定し、前記第１のチャネル情報及び前記第２のチャネル情報に従って相互依存性較正を実行できるように、前記通信装置へ前記第２の参照信号を送信するよう構成される第２の送信ユニットと、
を含む第１のＵＥ。
【請求項１３】
前記通信装置が第２のＵＥであるとき、前記第１のＵＥは、
第１の較正要求に従って基地局により送信されるスケジューリング情報を受信するよう構成される第２の受信ユニットであって、前記スケジューリング情報は、前記第１のＵＥの識別子、前記第２のＵＥの識別子、及び時間周波数リソースを有する、第２の受信ユニット、
を更に含む請求項１２に記載の第１のＵＥ。
【請求項１４】
前記通信装置が基地局であるとき、前記第１のＵＥは、
前記基地局へ第２の較正要求を送信するよう構成される第３の送信ユニットと、
前記第２の較正要求に従って、前記基地局により送信されるスケジューリング情報を受信するよう構成される第２の受信ユニットであって、前記スケジューリング情報は、前記第１のＵＥの識別子、及び時間周波数リソースを有する、第２の受信ユニットと、
を更に含む請求項１２に記載の第１のＵＥ。
【請求項１５】
通信装置であって、
外部装置と通信するよう構成される通信ユニットと、
第１のユーザ機器（ＵＥ）が、第１の参照信号に従って、前記第１のＵＥと前記通信装置との間の第１のチャネルの第１のチャネル情報を推定できるように、前記通信ユニットを使用することにより、前記第１のＵＥへ前記第１の参照信号を送信するよう構成される送信機と、
前記通信ユニットを使用することにより、前記第１のＵＥによりフィードバックされる前記第１のチャネル情報を受信するよう構成される受信機であって、前記受信機は、前記通信ユニットを使用することにより、前記第１のＵＥにより送信される第２の参照信号を受信するよう更に構成される、受信機と、
前記第２の参照信号に従って、前記通信装置と前記第１のＵＥとの間の第２のチャネルの第２のチャネル情報を推定するよう構成されるプロセッサであって、前記プロセッサは、前記第１のチャネル情報と前記第２のチャネル情報とに従って、相互依存性較正を実行するよう更に構成される、プロセッサと、
を含む通信装置。
【請求項１６】
前記通信装置が第２のＵＥであるとき、前記送信機は、基地局が第１の較正要求に従って前記第２のＵＥ及び前記第１のＵＥへスケジューリング情報を送信できるように、前記通信ユニットを使用することにより、前記基地局へ前記第１の較正要求を送信するよう更に構成され、前記スケジューリング情報は、前記第１のＵＥの識別子、前記第２のＵＥの識別子、及び時間周波数リソースを有する、
請求項１５に記載の通信装置。
【請求項１７】
前記通信装置が基地局であるとき、前記受信機は、前記通信ユニットを使用することにより、前記第１のＵＥにより送信される第２の較正要求を受信するよう更に構成され、スケジューリング情報は、前記第２の較正要求に従って、前記第１のＵＥへを送信され、前記スケジューリング情報は、前記第１のＵＥの識別子、及び時間周波数リソースを有する、
請求項１５に記載の通信装置。
【請求項１８】
前記プロセッサが前記第１のチャネル情報及び前記第２のチャネル情報に従って相互依存性較正を実行することは、具体的には、前記第１のチャネル情報に対応する第１のチャネル行列が前記第２のチャネル情報に対応する第２のチャネル行列に等しくなるように、相互依存性係数を調整するよう構成される、
請求項１５乃至１７のいずれか一項に記載の通信装置。
【請求項１９】
第１のユーザ機器（ＵＥ）であって、
外部装置と通信するよう構成される通信ユニットと、
前記通信ユニットを使用することにより、通信装置により送信される第１の参照信号を受信するよう構成される受信機であって、前記第１のＵＥと前記通信装置との間の第１のチャネルの第１のチャネル情報は、前記第１の参照信号に従って推定される、第１の受信機と、
前記通信ユニットを使用することにより、前記通信装置へ前記第１のチャネル情報を送信するよう構成される送信機と、
を含み、
前記送信機は、前記通信装置が、第２の参照信号に従って、前記通信装置と前記第１のＵＥとの間の第２のチャネルの第２のチャネル情報を推定し、前記第１のチャネル情報及び前記第２のチャネル情報に従って相互依存性較正を実行できるように、前記通信ユニットを使用することにより、前記通信装置へ前記第２の参照信号を送信するよう更に構成される、
第１のＵＥ。
【請求項２０】
前記通信装置が第２のＵＥであるとき、前記受信機は、前記通信ユニットを使用することにより、第１の較正要求に従って基地局により送信されるスケジューリング情報を受信するよう更に構成され、前記スケジューリング情報は、前記第１のＵＥの識別子、前記第２のＵＥの識別子、及び時間周波数リソースを有する、請求項１９に記載の第１のＵＥ。
【請求項２１】
前記通信装置が基地局であるとき、前記送信機は、前記通信ユニットを使用することにより、前記基地局へ第２の較正要求を送信するよう更に構成され、前記第２の較正要求に従って前記基地局により送信されるスケジューリング情報が受信され、前記スケジューリング情報は、前記第１のＵＥの識別子、及び時間周波数リソースを有する、
請求項１９に記載の第１のＵＥ。
【請求項２２】
通信システムであって、通信装置と第１のユーザ機器（ＵＥ）とを含み、前記通信装置は、請求項８乃至１１のいずれか一項に記載の通信装置であり、且つ、前記第１のＵＥは、請求項１２乃至１４のいずれか一項に記載の第１のＵＥであり、又は前記通信装置は、請求項１５乃至１８のいずれか一項に記載の通信装置であり、且つ、前記第１のＵＥは、請求項１９乃至２１のいずれか一項に記載の第１のＵＥである、通信システム。
【発明の詳細な説明】
【技術分野】
【０００１】
本発明は、通信分野に関し、特にＵＥ間の相互依存性較正のための方法、装置、及び通信システムに関する。
【背景技術】
【０００２】
現在、ＬＴＥ（Long  Term  Evolution、ロングタームエボリューション）ＴＤＤ（Time  Division  Duplexing、時分割多重）システムのチャネル相互依存性は、ＦＤＤ（FreqＵＥncy  Division  Duplex、周波数分割多重）システムのものより良好である。ＴＤＤシステムでは、アップリンクチャネル及びダウンリンクチャネルは、同じ周波数帯を使用する。したがって、ＴＤＤシステムでは、ダウンリンクチャネルは、アップリンクチャネルに従って推定でき、したがって、ダウンリンクチャネルの送信性能を向上し、ＴＤＤシステムが広く適用されるようになる。しかしながら、実際のＴＤＤシステムでは、基地局及びユーザ端のアンテナは、それぞれ、非依存受信リンク及び送信リンクを有し、チャネル相互依存性は、空間伝搬チャネルにのみ適用できる。したがって、絶対チャネル相互依存性は、実際のＴＤＤシステムには存在しない。さらに、アップリンク及びダウンリンクチャネルの僅かな相互依存性誤りが、通信システムの性能に明らかな変化を生じることがある。したがって、ＴＤＤチャネル相互依存性の特性が使用される前に、アンテナに対して相互依存性較正が実行される必要がある。
【０００３】
しかしながら、アンテナに対して相互依存性較正を実行するとき、従来技術では、基地局側のアンテナの相互依存性誤りが、概して基地局のアンテナの自己較正を使用することにより通常解決され得ることを、発明者は見出した。現在、しかしながら、ＵＥ（User  Equipment、ユーザ機器）側のＵＥ間のアンテナの相互依存性誤りの問題は、適用シナリオにおける制限のために十分に注目されず、したがって、未だ効果的に解決されていない。
【発明の概要】
【０００４】
本発明の実施形態は、ＵＥ間の相互依存性誤りを較正でき、それにより通信システムの性能を保証する、ＵＥ間の相互依存性較正の方法、機器、及び通信システムを提供する。
【０００５】
上述の目的を達成するため、以下の技術的解決策が本発明の実施形態において提供される。
【０００６】
第１の態様によると、ＵＥの間の相互依存性較正のための方法であって、第１のユーザ機器（ＵＥ）が、第１の参照信号に従って、前記第１のＵＥと通信装置との間の第１のチャネルの第１のチャネル情報を推定できるように、前記通信装置により、前記第１のＵＥへ前記第１の参照信号を送信するステップと、前記第１のＵＥによりフィードバックされる前記第１のチャネル情報を受信するステップと、前記第１のＵＥにより送信される第２の参照信号を受信するステップと、前記第２の参照信号に従って、前記通信装置と前記第１のＵＥとの間の第２のチャネルの第２のチャネル情報を推定するステップと、前記第１のチャネル情報及び前記第２のチャネル情報に従って、相互依存性較正を実行するステップと、を含む方法が提供される。
【０００７】
第１の態様の第１の可能な実装方法では、前記通信装置が第２のＵＥであるとき、通信装置により第１のユーザ機器（ＵＥ）へ第１の参照信号を送信する前に、前記方法は、基地局が第１の較正要求に従って前記第２のＵＥ及び前記第１のＵＥへスケジューリング情報を送信できるように、前記第２のＵＥにより、前記基地局へ前記第１の較正要求を送信するステップであって、前記スケジューリング情報は、前記第１のＵＥの識別子、前記第２のＵＥの識別子、及び時間周波数リソースを有する、ステップと、を更に含む。
【０００８】
第１の態様の第２の可能な実装方法では、前記通信装置が基地局であるとき、通信装置により第１のユーザ機器（ＵＥ）へ第１の参照信号を送信する前に、前記方法は、前記基地局により、前記第１のＵＥにより送信される第２の較正要求を受信するステップであって、前記スケジューリング情報は、前記第１のＵＥの識別子、及び時間周波数リソースを有する、ステップと、を更に含む。
【０００９】
第１の態様、第１の態様の第１の可能な実装方法、又は第１の態様の第２の可能な実装方法に関し、第１の態様の第３の可能な実装方法では、前記第１のチャネル情報及び前記第２のチャネル情報に従って相互依存性較正を実行するステップは、具体的には、前記第１のチャネル情報に対応する第１のチャネル行列が前記第２のチャネル情報に対応する第２のチャネル行列に等しくなるよう、相互依存性係数を調整するステップ、を含む。
【００１０】
第２の態様によると、ＵＥの間の相互依存性較正のための方法であって、第１のユーザ機器（ＵＥ）により、通信装置により送信される第１の参照信号を受信し、前記第１の参照信号に従って、前記第１のＵＥと前記通信装置との間の第１のチャネルの第１のチャネル情報を推定するステップと、前記通信装置へ前記第１のチャネル情報を送信するステップと、前記通信装置が、第２の参照信号に従って、前記通信装置と前記第１のＵＥとの間の第２のチャネルの第２のチャネル情報を推定し、前記第１のチャネル情報及び前記第２のチャネル情報に従って相互依存性較正を実行できるように、前記通信装置へ前記第２の参照信号を送信するステップと、を含む方法が提供される。
【００１１】
第２の態様の第１の可能な実装方法では、前記通信装置が第２のＵＥであるとき、第１のＵＥにより、通信装置により送信される第１の参照信号を受信する前に、前記方法は、第１の較正要求に従って基地局により送信されるスケジューリング情報を受信するステップであって、前記スケジューリング情報は、前記第１のＵＥの識別子、前記第２のＵＥの識別子、及び時間周波数リソースを有する、ステップと、を更に含む。
【００１２】
第２の態様の第２の可能な実装方法では、前記通信装置が基地局であるとき、第１のユーザ機器（ＵＥ）により、通信装置により送信される第１の参照信号を受信する前に、前記方法は、前記基地局へ第２の較正要求を送信するステップと、前記第２の較正要求に従って前記基地局により送信されるスケジューリング情報を受信するステップであって、前記スケジューリング情報は、前記第１のＵＥの識別子、及び時間周波数リソースを有する、ステップと、を更に含む。
【００１３】
第３の態様によると、通信装置であって、第１のユーザ機器（ＵＥ）が第１の参照信号に従って前記第１のＵＥと通信装置との間の第１のチャネルの第１のチャネル情報を推定できるように、前記第１の参照信号を前記第１のＵＥへ送信するよう構成される第１の送信ユニットと、前記第１のＵＥによりフィードバックされる前記第１のチャネル情報を受信するよう構成される第１の受信ユニットと、前記第１のＵＥにより送信される第２の参照信号を受信するよう構成される第２の受信ユニットと、前記第２の受信ユニットにより受信される前記第２の参照信号に従って、前記通信装置と前記第１のＵＥとの間の第２のチャネルの第２のチャネル情報を推定するよう構成される推定ユニットと、前記第１の受信ユニットにより受信される第１のチャネル情報と前記推定ユニットにより推定される前記第２のチャネル情報とに従って、相互依存性較正を実行するよう構成される較正ユニットと、を含む通信装置が提供される。
【００１４】
第３の態様の第１の可能な実装方法では、前記通信装置が第２のＵＥであるとき、前記通信装置は、基地局が第１の較正要求に従って前記第２のＵＥ及び前記第１のＵＥへスケジューリング情報を送信できるように、前記基地局へ前記第１の較正要求を送信するよう構成される第２の送信ユニットであって、前記スケジューリング情報は、前記第１のＵＥの識別子、前記第２のＵＥの識別子、及び時間周波数リソースを有する、第２の送信ユニット、を更に含む。
【００１５】
第３の態様の第２の可能な実装方法では、前記通信装置が基地局であるとき、前記通信装置は、前記第１のＵＥにより送信される第２の較正要求を受信するよう構成される第３の受信ユニットと、前記第３の受信ユニットにより受信される前記第２の較正要求に従って前記第１のＵＥへスケジューリング情報を送信するよう構成される第２の送信ユニットであって、前記スケジューリング情報は、前記第１のＵＥの識別子、及び時間周波数リソースを有する、第２の送信ユニットと、を更に含む。
【００１６】
第３の態様、第３の態様の第１の可能な実装方法、又は第３の態様の第２の可能な実装方法に関し、第３の態様の第３の可能な実装方法では、前記較正ユニットは、具体的には、前記第１のチャネル情報に対応する第１のチャネル行列が前記第２のチャネル情報に対応する第２のチャネル行列に等しくなるよう、相互依存性係数を調整する、よう構成される。
【００１７】
第４の態様によると、第１のユーザ機器（ＵＥ）であって、通信装置により送信される第１の参照信号を受信するよう構成される第１の受信ユニットであって、前記第１のＵＥと前記通信装置との間の第１のチャネルの第１のチャネル情報は、前記第１の参照信号に従って推定される、第１の受信ユニットと、前記通信装置へ前記第１のチャネル情報を送信する第１の送信ユニットと、前記通信装置が、第２の参照信号に従って、前記通信装置と前記第１のＵＥとの間の第２のチャネルの第２のチャネル情報を推定し、前記第１のチャネル情報及び前記第２のチャネル情報に従って相互依存性較正を実行できるように、前記通信装置へ前記第２の参照信号を送信するよう構成される第２の送信ユニットと、を含む第１のＵＥが提供される。
【００１８】
第４の態様の第１の可能な実装方法では、前記通信装置が第２のＵＥであるとき、前記第１のＵＥは、第１の較正要求に従って基地局により送信されるスケジューリング情報を受信するよう構成される第２の受信ユニットであって、前記スケジューリング情報は、前記第１のＵＥの識別子、前記第２のＵＥの識別子、及び時間周波数リソースを有する、第２の受信ユニット、を更に含む。
【００１９】
第４の態様の第２の可能な実装方法では、前記通信装置が基地局であるとき、前記第１のＵＥは、前記基地局へ第２の較正要求を送信するよう構成される第３の送信ユニットと、前記第２の較正要求に従って前記基地局により送信されるスケジューリング情報を受信するよう構成される第２の受信ユニットであって、前記スケジューリング情報は、前記第１のＵＥの識別子、及び時間周波数リソースを有する、第２の受信ユニットと、を更に含む。
【００２０】
第５の態様によると、通信装置であって、外部装置と通信するよう構成される通信ユニットと、第１のユーザ機器（ＵＥ）が、第１の参照信号に従って、前記第１のＵＥと前記通信装置との間の第１のチャネルの第１のチャネル情報を推定できるように、前記通信ユニットを使用することにより、前記第１のＵＥへ前記第１の参照信号を送信するよう構成される送信機と、前記通信ユニットを使用することにより、前記第１のＵＥによりフィードバックされる前記第１のチャネル情報を受信するよう構成される受信機であって、前記受信機は、前記通信ユニットを使用することにより、前記第１のＵＥにより送信される第２の参照信号を受信するよう更に構成される、受信機と、前記第２の参照信号に従って、前記通信装置と前記第１のＵＥとの間の第２のチャネルの第２のチャネル情報を推定するよう構成されるプロセッサであって、前記プロセッサは、前記第１のチャネル情報と前記第２のチャネル情報とに従って、相互依存性較正を実行するよう更に構成される、プロセッサと、を含む通信装置が提供される。
【００２１】
第５の態様の第１の可能な実装方法では、前記通信装置が第２のＵＥであるとき、前記送信機は、基地局が、第１の較正要求に従って前記第２のＵＥ及び前記第１のＵＥへスケジューリング情報を送信できるよう、前記通信ユニットを使用することにより、前記基地局へ前記第１の較正要求を送信するよう更に構成され、前記スケジューリング情報は、前記第１のＵＥの識別子、前記第２のＵＥの識別子、及び時間周波数リソースを有する。
【００２２】
第５の態様の第２の可能な実装方法では、前記通信装置が基地局であるとき、前記受信機は、前記通信ユニットを使用することにより、前記第１のＵＥにより送信される第２の較正要求を受信するよう更に構成され、スケジューリング情報は、前記第２の較正要求に従って前記第１のＵＥへ送信され、前記スケジューリング情報は、前記第１のＵＥの識別子、及び時間周波数リソースを有する。
【００２３】
第５の態様、第５の態様の第１の可能な実装方法、又は第５の態様の第２の可能な実装方法に関し、第５の態様の第３の可能な実装方法では、前記プロセッサが前記第１のチャネル情報及び前記第２のチャネル情報に従って相互依存性較正を実行することは、具体的には、前記第１のチャネル情報に対応する第１のチャネル行列が前記第２のチャネル情報に対応する第２のチャネル行列に等しくなるよう、相互依存性係数を調整するよう構成される。
【００２４】
第６の態様によると、第１のユーザ機器（ＵＥ）であって、外部装置と通信するよう構成される通信ユニットと、前記通信ユニットを使用することにより、通信装置により送信される第１の参照信号を受信するよう構成される第１の受信機であって、前記第１のＵＥと前記通信装置との間の第１のチャネルの第１のチャネル情報は、前記第１の参照信号に従って推定される、第１の受信機と、前記通信ユニットを使用することにより、前記通信装置へ前記第１のチャネル情報を送信するよう構成される送信機と、を含み、前記送信機は、前記通信装置が、第２の参照信号に従って、前記通信装置と前記第１のＵＥとの間の第２のチャネルの第２のチャネル情報を推定し、前記第１のチャネル情報及び前記第２のチャネル情報に従って相互依存性較正を実行できるように、前記通信ユニットを使用することにより、前記通信装置へ前記第２の参照信号を送信するよう更に構成される、第１のＵＥが提供される。
【００２５】
第６の態様の第１の可能な実装方法では、前記通信装置が第２のＵＥであるとき、前記受信機は、前記通信ユニットを使用することにより、第１の較正要求に従って基地局により送信されるスケジューリング情報を受信するよう構成され、前記スケジューリング情報は、前記第１のＵＥの識別子、前記第２のＵＥの識別子、及び時間周波数リソースを有する。
【００２６】
第６の態様の第２の可能な実装方法では、前記通信装置が基地局であるとき、前記送信機は、前記通信ユニットを使用することにより、第２の較正要求を前記基地局へ送信するよう更に構成され、前記第２の較正要求に従って前記基地局により送信されるスケジューリング情報が受信され、前記スケジューリング情報は、前記第１のＵＥの識別子、及び時間周波数リソースを有する。
【００２７】
第７の態様によると、通信システムであって、通信装置と第１のユーザ機器（ＵＥ）とを含み、前記通信装置は第３の態様の可能な実装方法のいずれか１つに対応する通信装置であり、且つ前記第１のＵＥは第４の態様の可能な実装方法のいずれか１つに対応する第１のＵＥであり、又は、前記通信装置は第５の態様の可能な実装方法のいずれか１つに対応する通信装置であり、且つ前記第１のＵＥは第６の態様の可能な実装方法のいずれか１つに対応する第１のＵＥである、通信システムが提供される。
【００２８】
本発明の本実施形態において提供されるＵＥ間の相互依存性較正のための方法、機器、及び通信システムによると、通信装置は第１のＵＥと通信装置との間の第１のチャネルの且つ通信装置により送信される第１の参照信号に従って第１のＵＥにより推定される第１のチャネル情報と、第１のＵＥと通信装置との間の第２のチャネルの且つ前記第１のＵＥにより報告される第２の参照信号に従って推定される第２のチャネル情報と、を受信し、前述の第１のチャネル情報及び前述の第２のチャネル情報に従ってＵＥ間の相互依存性誤り較正を実行できるようにし、それにより、通信システムの性能を保証する。
【図面の簡単な説明】
【００２９】
本発明の実施形態の又は従来技術の技術的解決策をより明確に説明するために、実施形態又は従来技術の説明に必要な図面が以下の通り導入される。明らかなことに、以下の説明中の添付の図面は、本発明のほんの一部の実施形態であり、これらの図面に従って当業者により創造的労力を有しないで他の図面も得られる。
【図１】本発明の一実施形態によるＵＥ間の相互依存性較正方法の概略的フローチャートである。
【図２】本発明の別の実施形態によるＵＥ間の相互依存性較正方法の概略的フローチャートである。
【図３】本発明の更に別の実施形態によるＵＥ間の相互依存性較正方法の概略的フローチャートである。
【図４】本発明の更に別の実施形態によるＵＥ間の相互依存性較正方法の概略的フローチャートである。
【図５】本発明の一実施形態による通信装置の機器の概略図である。
【図６】本発明の一実施形態による別の通信装置の機器の概略図である。
【図７】本発明の一実施形態による更に別の通信装置の機器の概略図である。
【図８】本発明の一実施形態による第１のユーザ機器ＵＥの機器の概略図である。
【図９】本発明の一実施形態による別の第１のＵＥの機器の概略図である。
【図１０】本発明の一実施形態による更に別の第１のＵＥの機器の概略図である。
【図１１】本発明の別の実施形態による通信装置の機器の概略図である。
【図１２】本発明の別の実施形態による第１のＵＥの機器の概略図である。
【図１３】本発明の一実施形態による通信システムのシステムアーキテクチャ図である。
【図１４】本発明の一実施形態による別の通信システムのシステムアーキテクチャ図である。
【発明を実施するための形態】
【００３０】
以下に、本発明の実施形態の添付の図面を参照して、本発明の実施形態における技術的解決策を明確且つ十分に説明する。明らかに、記載される実施形態は、本発明の実施形態の一部であり、全てではない。本発明の実施形態に基づき創造的労力を有しないで当業者により得られる全ての他の実施形態は、本発明の保護範囲に包含される。
【００３１】
本発明において提供される実施形態は、ＬＴＥ（Long  Term  Evolution、ロングタームエボリューション）ＴＤＤ（Time  Division  Duplexing、時分割多重）システムに適用される。前述のＴＤＤシステムのアップリンクチャネル及びダウンリンクチャネルは、同じ周波数帯を使用し、ダウンリンク送信性能を向上するために、ダウンリンクチャネルはアップリンクチャネルに従って推定できる。しかしながら、絶対チャネル相互依存性は実際のＴＤＤシステムには存在せず、アップリンク及びダウンリンクチャネルの僅かな相互依存性誤りがシステム性能に明らかな変化を生じ得るので、実際のダウンリンクチャネルはアップリンクチャネルに従って反映できない。したがって、ＴＤＤチャネル相互依存性の特性が使用される前に、アンテナに対して相互依存性較正が実行される必要がある。具体的には、本発明の主な適用シナリオは、セルラ無線通信システムであり、通信システムにおける相互依存性誤りは、主に２つの部分、基地局側の相互依存性誤りとＵＥ側の相互依存性誤りと、を含む。基地局側の相互依存性誤りについて、基地局の相互依存性誤りは、従来技術では基地局のアンテナの自己較正を使用することにより通常解決される。つまり、較正アンテナを使用することにより基地局の別のアンテナを較正するために、較正アンテナが基地局側のアンテナから選択される。しかしながら、ＵＥ（User  Equipment、ユーザ機器）側の受信チャネルと送信チャネルとの間の相互依存性誤りの問題は、適用シナリオにおける制限のために十分に注目されず、したがって、対応する解決策も存在しない。したがって、前述の適用シナリオに基づき、本発明の実施形態は、ＵＥ間の相互依存性誤り問題を解決するために、ＵＥ間の相互依存性較正のための方法を提供する。
【００３２】
図１に示すように、本発明の一実施形態は、相互依存性較正方法のための方法を提供する。ここで、当該方法は、通信装置により実施されても良い。ＵＥ間の相互依存性較正のための方法は、具体的には以下のステップを含む。
【００３３】
１０１．通信装置は、第１のユーザ機器ＵＥに第１の参照信号を送信する。したがって、第１のＵＥは、第１の参照信号に従って、第１のＵＥと通信装置との間の第１のチャネルの第１のチャネル情報を推定できる。
【００３４】
例えば、前述の通信装置は、基地局であっても良く、又はＵＥであっても良い。前述の第１の参照信号は、第１のＵＥにより知られている信号、例えばパイロット情報であっても良い。本実施形態では、通信装置は、１つの第１のＵＥと共に、単一のＵＥと通信装置との間の相互依存性較正を実行するだけではなく、複数の第１のＵＥと同時に相互作用して複数のＵＥの間の相互依存性較正を実施できることに留意すべきである。
【００３５】
１０２．通信装置は、第１のＵＥによりフィードバックされる第１のチャネル情報を受信する。
【００３６】
１０３．通信装置は、第１のＵＥにより送信される第２の参照信号を受信する。
【００３７】
前述の第２の参照信号は、通信装置により知られている信号、例えばパイロット情報であっても良い。
【００３８】
１０４．通信装置は、第２の参照信号に従って、第１のＵＥと通信装置との間の第２のチャネルの第２のチャネル情報を推定する。
【００３９】
具体的には、前述の通信装置が基地局であるとき、本発明の本実施形態において記載される、第１のＵＥと通信装置との間の第１のチャネルは、基地局と第１のＵＥとの間のダウンリンクであり、第２のチャネルは、第１のＵＥと基地局との間のアップリンクである。前述の通信装置が第２のＵＥであるとき、本発明の本実施形態において記載される、第１のＵＥと通信装置との間の第１のチャネル及び第２のチャネルは、第１のＵＥと第２のＵＥとの間の受信及び送信チャネルである。
【００４０】
１０５．通信装置は、第１のチャネル情報及び第２のチャネル情報に従って、相互依存性較正を実行する。
【００４１】
任意で、ステップ１０５は、具体的に以下の内容を含んでも良い。
【００４２】
１０５ａ．通信装置は、第１のチャネル情報に対応する第１のチャネル行列、及び第２のチャネル情報に対応する第２のチャネル行列を調整し、第１のチャネル行列が第２のチャネル行列に等しくなるようにする。
【００４３】
例えば、通信装置は、第１のＵＥと通信装置との間の取得した第１のチャネル情報及び第２のチャネル情報に従って、相互依存性調整係数を計算し、相互依存性調整係数を第１のＵＥへ送信し、したがって、第１のＵＥが第１のチャネル情報に対応する第１のチャネル行列及び第２のチャネル情報に対応する第２のチャネル行列を相互依存性調整係数に従って調整して、前述の第１のチャネル行列が前述の第２のチャネル行列に等しくなるようにする。前述の相互依存性調整係数は、式（１）に示される。
αｒ１／αｔ１＝αｒ２／αｔ２＝．．．＝αｒＮ／αｔＮ＝η    式（１）
ηは非ゼロ定数である。ＵＥ１、ＵＥ２、．．．、ＵＥＮの無線周波数受信チャネル（前述の第１のチャネル）の係数は、それぞれαｒ１、αｒ２、．．．、αｒＮである。ＵＥ１、ＵＥ２、．．．、ＵＥＮの無線周波数送信チャネル（前述の第２のチャネル）の係数は、それぞれαｔ１、αｔ２、．．．、αｔＮである。前述の較正処理の後に、較正結果は、各第１のＵＥと通信装置との間の第１のチャネル情報の第１のチャネル行列が対応する第２のチャネル情報の第２のチャネル行列に等しいということである。
【００４４】
例えば、本発明は、ＵＥ間の相互依存性較正の２つの方法を提供する。第１の実装方法は次の通りである。通信装置が第２のＵＥであるとき、基地局は、第１のＵＥ及び第２のＵＥのスケジューリング情報を設定して、第１のＵＥ及び第２のＵＥがスケジューリング情報に従ってＵＥ間の相互依存性較正を直接実行できるようにする。第２の実装方法は次の通りである。通信装置が基地局であるとき、基地局は、少なくとも２つの第１のＵＥに対して相互依存性較正を別個に実行して、ＵＥ間の相互依存性較正を実施する。
【００４５】
任意で、本発明における通信装置が第２のＵＥであるとき（つまり、第１の実装方法で）、ステップ１０１の前に、方法は以下を更に含む。
【００４６】
ａ１．第１のＵＥは第１の較正要求を基地局に送信して、基地局が第１の較正要求に従ってスケジューリング情報を第２のＵＥ及び第１のＵＥへ送信できるようにする。
【００４７】
前述のスケジューリング情報は、第１のＵＥの識別子、第２のＵＥの識別子、及び時間周波数リソースを含むが、これらに限定されない。
【００４８】
任意で、本発明における通信装置が基地局であるとき（つまり、第２の実装方法で）、ステップ１０１の前に、方法は以下を更に含む。
【００４９】
ａ２．基地局は、第１のＵＥにより送信される第２の較正要求を受信し、第２の較正要求に従って第１のＵＥへスケジューリング情報を送信する。
【００５０】
前述のスケジューリング情報は、第１のＵＥの識別子、及び時間周波数リソースを含むが、これらに限定されない。
【００５１】
例えば、本発明において記載される通信システムでは、各ＵＥは、通信システムにおいて異なるＵＥを区別するために使用される（例えば、第１のＵＥと第２のＵＥとを区別するために使用される）ユニークなＵＥ識別子を割り当てられる。さらに、前述の時間周波数リソースは、通信装置が第１の参照信号を第１のＵＥへ送信するとき、第１の参照信号の特定の時間周波数ドメイン位置であり、第１のＵＥが第２の参照信号を通信装置へ送信するとき、第２の参照信号の特定の時間周波数ドメイン位置である。したがって、第１のＵＥは、通信装置により送信される第１の参照信号を正確且つ効率的に取得できる。また、通信装置は、第１のＵＥにより送信される第２の参照信号を正確且つ効率的に取得できる。
本発明の本実施形態において提供されるＵＥ間の相互依存性較正のための方法によると、通信装置は第１のＵＥと通信装置との間の第１のチャネルの且つ通信装置により送信される第１の参照信号に従って第１のＵＥにより推定される第１のチャネル情報と、第１のＵＥと通信装置との間の第２のチャネルの且つ第１のＵＥにより報告される第２の参照信号に従って推定される第２のチャネル情報と、を受信し、前述の第１のチャネル情報及び前述の第２のチャネル情報に従ってＵＥ間の相互依存性誤り較正を実行できるようにし、それにより、通信システムの性能を保証する。
【００５２】
図１に示すＵＥ間の相互依存性較正のための方法に対応して、以下では、第１のＵＥの観点から、本発明の本実施形態において提供されるＵＥ間の相互依存性較正の方法を記載する。
【００５３】
図２に示すように、本発明の一実施形態は、ＵＥ間の相互依存性較正のための方法を提供する。ここで、当該方法は第１のＵＥにより実施されても良く、ＵＥ間の相互依存性較正の方法は、具体的には以下のステップを含む。
【００５４】
２０１．第１のＵＥは、通信装置により送信される第１の参照信号を受信し、第１の参照信号に従って、第１のＵＥと通信装置との間の第１のチャネルの第１のチャネル情報を推定する。
【００５５】
例えば、前述の通信装置は、基地局であっても良く、又はＵＥであっても良い。前述の第１の参照信号は、第１のＵＥにより知られている信号である。本実施形態では、通信装置は、１つの第１のＵＥと共に、単一のＵＥと通信装置との間の相互依存性較正を実行するだけではなく、複数の第１のＵＥと同時に相互作用して複数のＵＥの間の相互依存性較正を実施できることに留意すべきである。
【００５６】
２０２．第１のＵＥは、通信装置へ第１のチャネル情報を送信する。
【００５７】
２０３．第１のＵＥは、通信装置へ第２の参照信号を送信する。したがって、通信装置が、第２の参照信号に従って、通信装置と第１のＵＥとの間の第２のチャネルの第２のチャネル情報を推定し、第１のチャネル情報及び第２のチャネル情報に従って相互依存性較正を実行できるようにする。
【００５８】
例えば、第１のＵＥと通信装置との間の取得した第１のチャネル情報及び第２のチャネル情報に従って通信装置により計算された相互依存性調整係数を受信した後に、第１のＵＥは、第１のチャネル情報に対応する第１のチャネル行列及び第２のチャネル情報に対応する第２のチャネル行列を相互依存性調整係数に従って調整して、前述の第１のチャネル行列が前述の第２のチャネル行列に等しくなるようにする。前述の相互依存性調整係数は、式（２）に示される。
αｒ１／αｔ１＝αｒ２／αｔ２＝．．．＝αｒＮ／αｔＮ＝η    式（２）
ηは非ゼロ定数である。ＵＥ１、ＵＥ２、．．．、ＵＥＮの無線周波数受信チャネル（前述の第１のチャネル）の係数は、それぞれαｒ１、αｒ２、．．．、αｒＮである。ＵＥ１、ＵＥ２、．．．、ＵＥＮの無線周波数送信チャネル（前述の第２のチャネル）の係数は、それぞれαｔ１、αｔ２、．．．、αｔＮである。前述の較正処理の後に、較正結果は、各第１のＵＥと通信装置との間の第１のチャネル情報の第１のチャネル行列が対応する第２のチャネル情報の第２のチャネル行列に等しいということである。
【００５９】
例えば、本発明は、ＵＥ間の相互依存性較正の２つの方法を提供する。第１の実装方法は次の通りである。通信装置が第２のＵＥであるとき、基地局は、第１のＵＥ及び第２のＵＥのスケジューリング情報を設定して、第１のＵＥ及び第２のＵＥがスケジューリング情報に従ってＵＥ間の相互依存性較正を直接実行できるようにする。第２の実装方法は次の通りである。通信装置が基地局であるとき、基地局は、少なくとも２つの第１のＵＥに対して相互依存性較正を別個に実行して、ＵＥ間の相互依存性較正を実施する。
【００６０】
任意で、本発明における通信装置が第２のＵＥであるとき（つまり、第１の実装方法で）、ステップ２０１の前に、方法は以下を更に含む。
【００６１】
ｂ１．第１のＵＥは、第２のＵＥにより送信される第１の較正要求に従って、基地局により送信されるスケジューリング情報を受信する。
【００６２】
前述のスケジューリング情報は、第１のＵＥの識別子、第２のＵＥの識別子、及び時間周波数リソースを含むが、これらに限定されない。
【００６３】
任意で、本発明における通信装置が基地局であるとき（つまり、第２の実装方法で）、ステップ２０１の前に、方法は以下を更に含む。
【００６４】
ｂ２．第１のＵＥは第２の較正要求を基地局に送信して、基地局が第２の較正要求に従ってスケジューリング情報を第１のＵＥへ送信できるようにする。
【００６５】
前述のスケジューリング情報は、第１のＵＥの識別子、及び時間周波数リソースを含むが、これらに限定されない。
【００６６】
例えば、本発明において記載される通信システムでは、各ＵＥは、通信システムにおいて異なるＵＥを区別するために使用される（例えば、第１のＵＥと第２のＵＥとを区別するために使用される）ユニークなＵＥ識別子を割り当てられる。さらに、前述の時間周波数リソースは、通信装置が第１の参照信号を第１のＵＥへ送信するとき、第１の参照信号の特定の時間周波数ドメイン位置であり、第１のＵＥが第２の参照信号を通信装置へ送信するとき、第２の参照信号の特定の時間周波数ドメイン位置である。したがって、第１のＵＥは、通信装置により送信される第１の参照信号を正確且つ効率的に取得できる。また、通信装置は、第１のＵＥにより送信される第２の参照信号を正確且つ効率的に取得できる。
【００６７】
本発明の本実施形態において提供されるＵＥ間の相互依存性較正のための方法によると、第１のＵＥは、通信装置により送信される第１の参照信号に従って第１のＵＥと通信装置との間の第１のチャネルの第１のチャネル情報を推定し、第１のチャネル情報を基地局にフィードバックして、基地局が、第１のチャネル情報と、第１のＵＥと通信装置との間の第２のチャネルの且つ第１のＵＥにより報告される第２の参照信号に従って推定される第２のチャネル情報と、に従ってＵＥ間の相互依存性誤り較正を実行できるようにし、それにより、通信システムの性能を保証する。
【００６８】
以下の例は、特定の適用シナリオにおいて、本発明の一実施形態において提供されるＵＥ間の相互依存性較正のための方法を記載する。前述の実施形態に関連する以下の実施形態における技術用語、概念、等に関する記載については、前述の実施形態が参照されても良い。
【００６９】
以下の実施形態は、主に、異なる通信装置に対応するＵＥ間の相互依存性較正のための異なる処理に焦点を当てる。具体的には、図３に示すように、通信装置が第２のＵＥであるとき、対応する相互依存性較正方法は、基地局がリソーススケジューリングに関係する場合に、第１のＵＥ及び第２のＵＥにより直接に、ＵＥ間の相互依存性較正を実行する方法である。図４に示すように、通信装置が基地局であるとき、対応する相互依存性較正方法は、基地局により少なくとも２つの第１のＵＥを別個に制御することにより、ＵＥ間の相互依存性較正を実施する方法である。
【００７０】
具体的には、本発明の一実施形態において提供される、ＵＥ間の相互依存性較正の対応する方法では、図３に示されるように、通信装置が第２のＵＥであるとき、図３が参照されても良い。
【００７１】
３０１．第２のＵＥは、第１の較正要求を基地局へ送信する。
【００７２】
３０２．基地局は、第１の較正要求に従って、スケジューリング情報を通信装置及びＵＥへ送信する。
【００７３】
例えば、第２のＵＥが第１の較正要求を基地局へ送信した後に、基地局は、第１の較正要求に従って、スケジューリング情報を第２のＵＥ及び少なくとも１つの第１のＵＥへ送信する。したがって、第２のＵＥ及び各第１のＵＥが、スケジューリング情報に従って第１の参照信号又は第２の参照信号を迅速且つ正確に取得できるようになる。前述のスケジューリング情報は、第１のＵＥの識別子、第２のＵＥの識別子、及び時間周波数リソースを含むが、これらに限定されない。具体的には、本発明において記載される通信システムでは、各ＵＥは、通信システムにおいて異なるＵＥを区別するために使用される（例えば、第１のＵＥと第２のＵＥとを区別するために使用される）ユニークなＵＥ識別子を割り当てられる。さらに、前述の時間周波数リソースは、第２のＵＥが第１の参照信号を第１のＵＥへ送信するとき、第１の参照信号の特定の時間周波数ドメイン位置であり、第１のＵＥが第２の参照信号を第２のＵＥへ送信するとき、第２の参照信号の特定の時間周波数ドメイン位置である。したがって、第１のＵＥは、第２のＵＥにより送信される第１の参照信号を正確且つ効率的に取得できる。また、第２のＵＥは、第１のＵＥにより送信される第２の参照信号を正確且つ効率的に取得できる。
【００７４】
３０３．第２のＵＥは、第１の参照信号を第１のＵＥへ送信する。
【００７５】
前述の第１の参照信号は、第１のＵＥにより知られている信号である。
【００７６】
任意で、前述のスケジューリング情報が送信パワーを更に含むとき、ステップ３０３は、具体的には、第２のＵＥが第１の参照信号を第１のＵＥへ送信パワーで送信できることを含む。
【００７７】
３０４．第１のＵＥは、第１の参照信号に従って、第１のＵＥと第２のＵＥとの間の第１のチャネルの第１のチャネル情報を計算する。
【００７８】
３０５．第２のＵＥは、第１のＵＥによりフィードバックされる第１のチャネル情報を受信する。
【００７９】
３０６．第２のＵＥは、第１のＵＥにより報告される第２の参照信号を受信する。
【００８０】
前述の第２の参照信号は、第２のＵＥにより知られている信号である。
【００８１】
任意で、前述のスケジューリング情報が送信パワーを更に含むとき、ステップ３０６は、具体的には、第２のＵＥが第１のＵＥにより送信パワーで報告される第２の参照信号を受信することを含む。
【００８２】
３０７．第２のＵＥは、第２の参照信号に従って、第１のＵＥと第２のＵＥとの間の第２のチャネルの第２のチャネル情報を計算する。
【００８３】
第２のＵＥにとって、前述の第１のＵＥと第２のＵＥとの間の第１のチャネル及び第２のチャネルは、第１のＵＥと第２のＵＥとの間の送信チャネル及び受信チャネルである。しかしながら、第１のＵＥにとって、前述の第１のＵＥと第２のＵＥとの間の第１のチャネル及び第２のチャネルは、第１のＵＥと第２のＵＥとの間の受信チャネル及び送信チャネルである。
【００８４】
３０８．第２のＵＥは、第１のチャネル情報及び第２のチャネル情報に従って、相互依存性較正を実行する。
【００８５】
任意で、ステップ３０８は、具体的に以下の内容を含む。第２のＵＥは、第１のチャネル情報に対応する第１のチャネル行列、及び第２のチャネル情報に対応する第２のチャネル行列を調整し、第１のチャネル行列が第２のチャネル行列に等しくなるようにする。
【００８６】
例えば、第２のＵＥは、第１のＵＥと第２のＵＥとの間の取得した第１のチャネル情報及び第２のチャネル情報に従って、相互依存性調整係数を計算し、相互依存性調整係数を第１のＵＥへ送信し、したがって、第１のＵＥが第１のチャネル情報に対応する第１のチャネル行列及び第２のチャネル情報に対応する第２のチャネル行列を相互依存性調整係数に従って調整して、前述の第１のチャネル行列が前述の第２のチャネル行列に等しくなるようにする。
【００８７】
例えば、本実施形態では、ＵＥ１は、第２のＵＥの一例として用いられ、ＵＥ２は、第１のＵＥの一例として用いられる。さらに、本実施形態では、基地局は、具体的にはダウンリンクスケジューリングを使用することにより、ＵＥ１及びＵＥ２に較正のための構成情報を割り当てる。ここで、スケジューリング情報は、制御チャネル又は別のチャネルを使用することにより、較正に関係する全てのＵＥへ、又はスケジューリング情報を次に他のユーザへ転送する幾つかのＵＥへ、送信され得る。通信システムが１つの第１のＵＥだけを含むとき、つまり、通信システムがＵＥ１及びＵＥ２を含むとき、本実施形態において提供されるＵＥ間の相互依存性較正の処理は、次の通りである。先ず、ＵＥ２及びＵＥ１は、それぞれ、第１のチャネル情報Ｈ１を得るために第１のチャネルを、第２のチャネル情報Ｈ２を得るために第２のチャネルを、推定する。具体的には以下に示される。
Ｈ１＝αｔ２・ｈ１・αｒ１    式（３）
Ｈ２＝αｔ１・ｈ１・αｒ２    式（４）
前述のαｒ１はＵＥ１の受信チャネルパラメータであり、αｔ１は送信チャネルパラメータであり、ｈ１はＵＥ１とＵＥ２との間の空間チャネルである。αｒ２はＵＥ２の受信チャネルパラメータであり、αｔ２はＵＥ２の送信チャネルパラメータである。Ｈ１は、係数補償較正を使用することによりＨ２と等しくされる。したがって、αｒ１／αｔ１＝αｒ２／αｔ２であり、したがって、ＵＥ１とＵＥ２との間の受信及び送信チャネル行列は等しくなる。それにより、２つのＵＥ間の相互依存性較正を実施する。さらに、通信装置が複数のＵＥを含むとき、つまり、２つより多くのＵＥが存在するとき、第２のＵＥ、つまりＵＥ１は、ユーザ側において全てのＵＥから最初に選択されるべきである。全ての他のＵＥ（つまり、ＵＥ２、ＵＥ３、．．．、ＵＥｎ、ここでｎは２以上の自然数）の各々は、第１の参照信号をＵＥ１へ送信し、ＵＥ１は、第２の参照信号を全ての他のＵＥへ同時にブロードキャストする。そして、最終的に、αｒ１／αｔ１＝αｒ２／αｔ２＝．．．＝αｒＮ／αｔＮ＝ηが実施される。ここで、ηは、非ゼロ定数である。前述の較正処理の後、較正結果は、各々のＵＥの受信及び送信チャネル係数の分担が等しくなること、つまり、全てのＵＥの受信及び送信チャネル行列が等しくなることであり、それにより、複数のＵＥの間の相互依存性較正を実施する。
【００８８】
例えば、本実施形態では、ＵＥは、相互依存性パラメータを計算するために参照信号を互いにシグナリングして、較正を完了する。さらに、ユーザ間の距離が通常比較的近いので、参照信号の推定の精度は比較的高い。したがって、較正の精度も比較的高い。
【００８９】
本実施形態の主な適用シナリオはセルラ無線通信システムであるので、ＵＥ間の相互依存性較正は、セルラ周波数帯において実施される必要がある。さらに、別のＵＥと基地局との間の通常の通信を妨げないために、ＵＥ間の相互依存性較正は、基地局の制御下で実行される必要があり、空間信号が変更されないことを保証するために、ＵＥ間の参照信号は可能な限り同時に送信される必要がある。
【００９０】
本発明の本実施形態において提供されるＵＥ間の相互依存性較正のための方法によると、第２のＵＥは第１のＵＥと第２のＵＥとの間の第１のチャネルの且つ第２のＵＥにより送信される第１の参照信号に従って第１のＵＥにより推定される第１のチャネル情報と、第１のＵＥと第２のＵＥとの間の第２のチャネルの且つ第１のＵＥにより報告される第２の参照信号に従って推定される第２のチャネル情報と、を受信し、前述の第１のチャネル情報及び前述の第２のチャネル情報に従ってＵＥ間の相互依存性誤り較正を実行できるようにし、それにより、通信システムの性能を保証する。
【００９１】
具体的には、本発明の一実施形態において提供される、ＵＥ間の相互依存性較正の対応する方法では、図４に示されるように、通信装置が基地局であるとき、図４が参照されても良い。
【００９２】
４０１．第１のＵＥは、第２の較正要求を基地局へ送信する。
【００９３】
４０２．基地局は、第２の較正要求に従って第１のＵＥへスケジューリング情報を送信する。
【００９４】
例えば、本実施形態では、通信システムは、１つの第１のＵＥを含んでも良く、又は複数の第１のＵＥを含んでも良い。実際の適用では、通信システムは、通常、複数の第１のＵＥを含み、複数のＵＥの間の相互依存性較正を実行する。具体的には、少なくとも１つの第１のＵＥの中の各々の第１のＵＥが第２の較正要求を基地局へ送信した後に、基地局は、第２の較正要求に従って、スケジューリング情報を各々の第１のＵＥへ送信する。したがって、各々の第１のＵＥが、スケジューリング情報に従って第１の参照信号を迅速且つ正確に取得できるようになる。前述のスケジューリング情報は、各々の第１のＵＥのうちの第１のＵＥの識別子、及び時間周波数リソースを含むが、これらに限定されない。具体的には、本発明において記載される通信システムでは、各ＵＥは、通信システムにおいて複数の異なる第１のＵＥを区別するために使用されるユニークなＵＥ識別子を割り当てられる。さらに、前述の時間周波数リソースは、通信装置が第１の参照信号を第１のＵＥへ送信するとき、第１の参照信号の特定の時間周波数ドメイン位置である。したがって、第１のＵＥは、基地局により送信される第１の参照信号を正確に且つ効率的に取得でき、通信装置は、第１のＵＥにより送信される第２の参照信号を正確に且つ効率的に取得できる。
【００９５】
４０３．基地局は、第１の参照信号を第１のＵＥへ送信する。
【００９６】
前述の第１の参照信号は、第１のＵＥにより知られている信号である。
【００９７】
４０４．第１のＵＥは、第１の参照信号に従って、第１のＵＥと基地局との間の第１のチャネルの第１のチャネル情報を推定する。
【００９８】
４０５．基地局は、第１のＵＥによりフィードバックされる第１のチャネル情報を受信する。
【００９９】
４０６．基地局は、第１のＵＥにより報告される第２の参照信号を受信する。
【０１００】
前述の第２の参照信号は、基地局により知られている信号である。
【０１０１】
任意で、前述のスケジューリング情報が具体的に送信パワーを更に含んでも良いとき、ステップ４０６は、具体的には、基地局が第１のＵＥにより前述の送信パワーで報告される第２の参照信号を受信することを含む。
【０１０２】
４０７．基地局は、第２の参照信号に従って、第１のＵＥと基地局との間の第２のチャネルの第２のチャネル情報を推定する。
【０１０３】
具体的には、第１のＵＥと基地局との間の前述の第１のチャネルは、基地局と第１のＵＥとの間のダウンリンクであり、第１のＵＥと基地局との間の前述の第２のチャネルは、第１のＵＥと基地局との間のアップリンクである。
【０１０４】
４０８．基地局は、第１のチャネル情報及び第２のチャネル情報に従って、相互依存性較正を実行する。
【０１０５】
任意で、ステップ４０８は、具体的に以下の内容を含む。基地局は、第１のチャネル情報に対応する第１のチャネル行列、及び第２のチャネル情報に対応する第２のチャネル行列を調整し、第１のチャネル行列が第２のチャネル行列に等しくなるようにする。
【０１０６】
例えば、基地局は、第１のＵＥと基地局との間の取得した第１のチャネル情報及び第２のチャネル情報に従って、相互依存性調整係数を計算し、相互依存性調整係数を第１のＵＥへ送信し、したがって、第１のＵＥが第１のチャネル情報に対応する第１のチャネル行列及び第２のチャネル情報に対応する第２のチャネル行列を相互依存性調整係数に従って調整して、前述の第１のチャネル行列が前述の第２のチャネル行列に等しくなるようにする。
【０１０７】
例えば、本実施形態では、２つの第１のＵＥ（単に例として本願明細書において用いられるが、特定の適用における２つの第１のＵＥに限定されない）は、ユーザ端の一例として使用される。つまり、ＵＥ１及びＵＥ２は一例として使用される。さらに、本実施形態における基地局は、具体的にはダウンリンクスケジューリングを使用することにより、ＵＥ１及びＵＥ２に較正のための構成情報を割り当てる。ここで、スケジューリング情報は、制御チャネル又は別のチャネルを使用することにより、較正に関係する全ての第１のＵＥへ、又はスケジューリング情報を次に別のユーザへ転送する幾つかのＵＥへ、送信され得る。具体的には、本実施形態において提供されるＵＥ間の相互依存性較正の処理は次の通りである。先ず、ＵＥ１及びＵＥ２は、第２の参照チャネルを基地局へ別個に送信する。基地局は、第２の参照チャネルに従って、ＵＥ１及びＵＥ２の第１のチャネル（つまり、アップリンク）の第１のチャネル情報を別個に推定する。具体的には以下に示す通りである。
ＨＵ１＝αｔ１・ｈ１・βｒ    式（５）
ＨＵ２＝αｔ２・ｈ２・βｒ    式（６）
【０１０８】
前述のαｔ１はＵＥ１の送信チャネル係数である。前述のαｔ２はＵＥ２の送信チャネル係数である。前述のｈ１はＵＥ１と基地局との間の空間チャネルである。前述のｈ２はＵＥ２と基地局との間の空間チャネルである。βｒは基地局の受信機の受信チャネル係数である。ＵＥ１及びＵＥ２が第２の参照信号を基地局へ別個に送信するとき、基地局は、第１の参照信号をＵＥ１及びＵＥ２へ送信し、ＵＥ１及びＵＥ２は、基地局により送信される第１の参照信号に従って、第２のチャネル（ダウンリンク）の第２のチャネル情報を別個に推定する。具体的には以下に示される通りである。
ＨＤ１＝αｒ１・ｈ１・βｔ    式（７）
ＨＤ２＝αｒ２・ｈ２・βｔ    式（８）
【０１０９】
前述のαｒ１はＵＥ１の受信チャネル係数である。前述のαｒ２はＵＥ２の受信チャネル係数である。βｔは基地局の受信機の送信チャネル係数である。
【０１１０】
前述の式（５）乃至式（８）によると、
ＨＵ１はＨＤ１に等しくされる。次に、ＵＥ１の相互依存性較正係数が得られる。
Ａ＝αｒ１／αｔ１＝（ｈ１・βｒ）／（ｈ１・βｔ）＝βｒ／βｔ
ＨＵ２はＨＤ２に等しくされる。次に、ＵＥ２の相互依存性較正係数が得られる。
Ｂ＝αｒ２／αｔ２＝（ｈ２・βｒ）／（ｈ２・βｔ）＝βｒ／βｔ
係数補償較正を使用することにより、ＡはＢに等しくされる。したがって、αｒ１／αｔ１＝αｒ２／αｔ２。したがって、ＵＥ１と基地局との間の第１のチャネル行列及び第２のチャネル行列は等しくなり、ＵＥ２と基地局との間の第１のチャネル行列及び第２のチャネル行列は等しくなる。それにより、２つのＵＥの間の相互依存性較正を実施する。さらに、２つより多い第１のＵＥ（つまり、ＵＥ３、ＵＥ４、．．．、及びＵＥｎ、ここでｎは３以上の自然数）が存在するとき、前述の処理が実施される場合、最終的にαｒ１／αｔ１＝αｒ２／αｔ２＝．．．＝αｒＮ／αｔＮ＝ηが実施され、ここでηは非ゼロ定数である。前述の較正処理の後、較正結果は、各々の第１のＵＥの受信チャネル及び送信チャネルのチャネル行列が等しくなること、及び、各々の第１のＵＥと基地局との間の第１のチャネル行列及び第２のチャネル行列が等しくなることであり、それにより、複数のＵＥの間の相互依存性較正を実施する。
【０１１１】
例えば、本実施形態では、基地局は、少なくとも２つの第２のＵＥを別個に制御する。したがって、ＵＥ間の相互依存性パラメータは、追加リソーススケジューリングを伴わず、基地局により予め較正されるリソースを完全に使用することにより、計算される。
【０１１２】
通信システムが１つの第１のＵＥだけを含むとき、基地局は、図３に対応する実施形態における第２のＵＥとして考えられ、第１のＵＥと共に、基地局がリソーススケジューリングに関係する間、ＵＥ間の相互依存性較正を直接実行する。さらに、本実施形態の主な適用シナリオはセルラ無線通信システムであるので、ＵＥ間の相互依存性較正はセルラ周波数帯において実施される必要があり、別のＵＥと基地局との間の通常の通信を妨げないために、ＵＥ間の相互依存性較正は、基地局の制御下で実行される必要があり、空間信号が変更されないことを保証するために、ＵＥ間の参照信号は可能な限り同時に送信される必要がある。
【０１１３】
本発明の本実施形態において提供されるＵＥ間の相互依存性較正のための方法によると、基地局は第１のＵＥと基地局との間の第１のチャネルの且つ基地局により送信される第１の参照信号に従って第１のＵＥにより推定される第１のチャネル情報と、第１のＵＥと基地局との間の第２のチャネルの且つ第１のＵＥにより報告される第２の参照信号に従って推定される第２のチャネル情報と、を受信し、前述の第１のチャネル情報及び前述の第２のチャネル情報に従ってＵＥ間の相互依存性誤り較正を実行できるようにし、それにより、通信システムの性能を保証する。
【０１１４】
本発明の実施形態は、本発明の実施形態において提供されるＵＥ間の相互依存性較正のための方法を実施する対応する装置を更に提供する。
【０１１５】
本発明の一実施形態は、図１乃至図４に示す実施形態の中の通信装置を実施するよう構成され得る通信装置を提供する。本発明の本実施形態において提供される通信装置の機能、動作メカニズム、関連する技術用語、及び概念のような内容については、図１乃至図４に示される実施形態が参照されても良い。図５に示すように、通信装置５は、第１の受信ユニット５２と、第２の受信ユニット５３と、推定ユニット５４と、較正ユニット５５と、を含む。
【０１１６】
第１の送信ユニット５１は、第１のユーザ機器ＵＥに第１の参照信号を送信するよう構成される。したがって、第１のＵＥは、第１の参照信号に従って、第１のＵＥと通信装置との間の第１のチャネルの第１のチャネル情報を推定できる。
【０１１７】
第１の受信ユニット５２は、第１のＵＥによりフィードバックされる第１のチャネル情報を受信するよう構成される。
【０１１８】
第２の受信ユニット５３は、第１のＵＥにより送信される第２の参照信号を受信するよう構成される。
【０１１９】
推定ユニット５４は、第２の受信ユニット５３により受信される第２の参照信号に従って、通信装置と第１のＵＥとの間の第２のチャネルの第２のチャネル情報を推定するよう構成される。
【０１２０】
較正ユニット５５は、第１の受信ユニット５２により受信される第１のチャネル情報及び推定ユニット５４により推定される第２のチャネル情報に従って、相互依存性較正を実行するよう構成される。
【０１２１】
本発明の本実施形態において提供される通信装置によると、通信装置は第１のＵＥと通信装置との間の第１のチャネルの且つ通信装置により送信される第１の参照信号に従って第１のＵＥにより推定される第１のチャネル情報と、第１のＵＥと通信装置との間の第２のチャネルの且つ第１のＵＥにより報告される第２の参照信号に従って推定される第２のチャネル情報と、を受信し、前述の第１のチャネル情報及び前述の第できるチャネル情報に従ってＵＥ間の相互依存性誤り較正を実行できるようにし、それにより、通信システムの性能を保証する。
【０１２２】
任意で、図６に示されるように、前述の通信装置は第２のＵＥであり、通信装置５は、第２の送信ユニット５６ａを更に含む。
【０１２３】
第２の送信ユニット５６ａは第１の較正要求を基地局に送信して、基地局が第１の較正要求に従ってスケジューリング情報を第２のＵＥ及び第１のＵＥへ送信できるようにする。
【０１２４】
前述のスケジューリング情報は、第１のＵＥの識別子、第２のＵＥの識別子、及び時間周波数リソースを含む。
【０１２５】
任意で、図７に示されるように、前述の通信装置は基地局であり、通信装置５は、第３の受信ユニット５７ｂと、第２の送信ユニット５６ｂと、を更に含む。
【０１２６】
第３の受信ユニット５７ｂは、第１のＵＥにより送信される第２の較正要求を受信するよう構成される。
【０１２７】
第２の送信ユニット５６ｂは、第３の受信ユニット５７ｂにより受信される第２の較正要求に従って、第１のＵＥへスケジューリング情報を送信するよう構成される。
【０１２８】
前述のスケジューリング情報は、第１のＵＥの識別子、及び時間周波数リソースを含む。
【０１２９】
任意で、前述の較正ユニット５５は、具体的には、較正係数を調整して、第１のチャネル情報に対応する第１のチャネル行列が第２のチャネル情報に対応する第２のチャネル行列に等しくなるよう構成される。
【０１３０】
本発明の本実施形態において提供される通信装置によると、通信装置は第１のＵＥと通信装置との間の第１のチャネルの且つ通信装置により送信される第１の参照信号に従って第１のＵＥにより推定される第１のチャネル情報と、第１のＵＥと通信装置との間の第２のチャネルの且つ第１のＵＥにより報告される第２の参照信号に従って推定される第２のチャネル情報と、を受信し、前述の第１のチャネル情報及び前述の第２のチャネル情報に従ってＵＥ間の相互依存性誤り較正を実行できるようにし、それにより、通信システムの性能を保証する。
【０１３１】
本発明の本実施形態における通信装置のユニット分割は例であり、実際には、本発明の本実施形態における通信装置を形成するために複数のユニット分割方法が存在し得る。
【０１３２】
本発明の一実施形態は、図１乃至図４に示す実施形態の中の第１のＵＥを実施するよう構成され得る第１のユーザ機器ＵＥを提供する。本発明の本実施形態において提供される通信装置の機能、動作メカニズム、関連する技術用語、及び概念のような内容については、図１乃至図４に示される実施形態が参照されても良い。図８に示すように、第１のＵＥ６は、第１の受信ユニット６１と、第１の送信ユニット６２と、第２の送信ユニット６３と、を含む。
【０１３３】
第１の受信ユニット６１は、通信装置により送信される第１の参照信号を受信するよう構成される。ここで、第１のＵＥと通信装置との間の第１のチャネルの第１のチャネル情報は、第１の参照信号に従って、推定される。
【０１３４】
第１の送信ユニット６２は、通信装置へ第１のチャネル情報を送信するよう構成される。
【０１３５】
第２の送信ユニット６３は、通信装置へ第２の参照信号を送信するよう構成される。したがって、通信装置が、第２の参照信号に従って、通信装置と第１のＵＥとの間の第２のチャネルの第２のチャネル情報を推定し、第１のチャネル情報及び第２のチャネル情報に従って相互依存性較正を実行できるようにする。
【０１３６】
本発明の本実施形態において提供される第１のＵＥによると、第１のＵＥは、通信装置により送信される第１の参照信号に従って第１のＵＥと通信装置との間の第１のチャネルの第１のチャネル情報を推定し、第１のチャネル情報を基地局にフィードバックして、基地局が、第１のチャネル情報と、第１のＵＥと通信装置との間の第２のチャネルの且つ第１のＵＥにより報告される第２の参照信号に従って推定される第２のチャネル情報と、に従ってＵＥ間の相互依存性誤り較正を実行できるようにし、それにより、通信システムの性能を保証する。
【０１３７】
任意で、図９に示されるように、通信装置が第２のＵＥであるとき、第１のＵＥ６は、第２の受信ユニット６４ａを更に含む。
【０１３８】
第２の受信ユニット６４ａは、第１の較正要求に従って基地局により送信されるスケジューリング情報を受信するよう構成される。
【０１３９】
前述のスケジューリング情報は、第１のＵＥの識別子、第２のＵＥの識別子、及び時間周波数リソースを含む。
【０１４０】
任意で、図１０に示されるように、通信装置が基地局であるとき、第１のＵＥ６は、第３の送信ユニット６５ｂと、第２の受信ユニット６４ｂと、を更に含む。
【０１４１】
第３の送信ユニット６５ｂは、第２の較正要求を基地局へ送信するよう構成される。
【０１４２】
第２の受信ユニット６４ｂは、第２の較正要求に従って基地局により送信されるスケジューリング情報を受信するよう構成される。
【０１４３】
前述のスケジューリング情報は、第１のＵＥの識別子、及び時間周波数リソースを含む。
【０１４４】
本発明の本実施形態において提供される第１のＵＥによると、第１のＵＥは、通信装置により送信される第１の参照信号に従って第１のＵＥと通信装置との間の第１のチャネルの第１のチャネル情報を推定し、第１のチャネル情報を基地局にフィードバックして、基地局が、第１のチャネル情報と、第１のＵＥと通信装置との間の第２のチャネルの且つ第１のＵＥにより報告される第２の参照信号に従って推定される第２のチャネル情報と、に従ってＵＥ間の相互依存性誤り較正を実行できるようにし、それにより、通信システムの性能を保証する。
【０１４５】
本発明の本実施形態における第１のＵＥのユニット分割は例であり、実際には、本発明の本実施形態における第１のＵＥを形成するために複数のユニット分割方法が存在し得る。
【０１４６】
本発明の本実施形態において提供される通信装置は、基地局であっても良く、又はユーザ機器ＵＥであっても良い。特定の動作メカニズム、別のネットワーク要素との相互作用、関連する技術用語、及び通信装置の概念のような内容については、図１乃至図４に対応する実施形態において示される通信装置が参照されても良く、詳細はここで再び記載されない。
【０１４７】
例えば、図１１に示されるように、通信装置７は、通信ユニット７１と、プロセッサ７２と、受信機７３と、送信機７４と、を含む。
【０１４８】
通信ユニット７１は、外部装置と通信するよう構成される。
【０１４９】
送信機７４は、通信ユニット７１を使用することにより第１のユーザ機器ＵＥに第１の参照信号を送信するよう構成される。したがって、第１のＵＥは、第１の参照信号に従って、第１のＵＥと通信装置との間の第１のチャネルの第１のチャネル情報を推定できる。
【０１５０】
受信機７３は、通信ユニット７１を使用することにより、第１のＵＥによりフィードバックされる第１のチャネル情報を受信するよう構成される。
【０１５１】
受信機７３は、通信ユニット７１を使用することにより、第１のＵＥにより送信される第２の参照信号を受信するよう更に構成される。
【０１５２】
プロセッサ７２は、第２の参照信号に従って、通信装置と第１のＵＥとの間の第２のチャネルの第２のチャネル情報を推定するよう構成される。
【０１５３】
プロセッサ７２は、第１のチャネル情報及び第２のチャネル情報に従って、相互依存性較正を実行するよう構成される。
【０１５４】
任意で、通信装置が第２のＵＥであるとき、送信機７４は、通信ユニット７１を使用することにより、第１の較正要求を基地局に送信して、基地局が第１の較正要求に従ってスケジューリング情報を第２のＵＥ及び第１のＵＥへ送信できるようにする。前述のスケジューリング情報は、第１のＵＥの識別子、第２のＵＥの識別子、及び時間周波数リソースを含む。
【０１５５】
任意で、通信装置が基地局であるとき、受信機７３は、通信ユニット７１を使用することにより、第１のＵＥにより送信される第２の較正要求を受信するよう更に構成され、スケジューリング情報は、第２の較正要求に従って第１のＵＥへ送信される。前述のスケジューリング情報は、第１のＵＥの識別子、及び時間周波数リソースを含む。
【０１５６】
任意で、プロセッサ７２が第１のチャネル情報及び第２のチャネル情報に従って相互依存性較正を実行することは、具体的には、第１のチャネル情報に対応する第１のチャネル行列が第２のチャネル情報に対応する第２のチャネル行列に等しくなるように、相互依存性係数を調整するよう構成される。
【０１５７】
本発明の本実施形態において提供される通信装置によると、通信装置は第１のＵＥと通信装置との間の第１のチャネルの且つ通信装置により送信される第１の参照信号に従って第１のＵＥにより推定される第１のチャネル情報と、第１のＵＥと通信装置との間の第２のチャネルの且つ第１のＵＥにより報告される第２の参照信号に従って推定される第２のチャネル情報と、を受信し、前述の第１のチャネル情報及び前述の第２のチャネル情報に従ってＵＥ間の相互依存性誤り較正を実行できるようにし、それにより、通信システムの性能を保証する。
【０１５８】
本発明の本実施形態における通信装置のユニット分割は例であり、実際には、本発明の本実施形態における通信装置を形成するために複数のユニット分割方法が存在し得る。
【０１５９】
本発明の一実施形態は、第１のユーザ機器ＵＥを提供する。特定の動作メカニズム、別のネットワーク要素との相互作用、関連する技術用語、及び第１のＵＥの概念のような内容については、図１乃至図４に対応する実施形態において示される第１のＵＥが参照されても良く、詳細はここで再び記載されない。
【０１６０】
例えば、図１２に示されるように、第１のＵＥ８は、通信ユニット８１と、受信機８２と、送信機８３と、を含む。
【０１６１】
通信ユニット８１は、外部装置と通信するよう構成される。
【０１６２】
受信機８２は、通信ユニット８１を使用することにより、通信装置により送信される第１の参照信号を受信するよう構成される。ここで、第１のＵＥと通信装置との間の第１のチャネルの第１のチャネル情報は、第１の参照信号に従って、推定される。
【０１６３】
送信機８３は、通信ユニット８１を使用することにより、通信装置へ第１のチャネル情報を送信するよう構成される。
【０１６４】
送信機８３は、通信ユニット８１を使用することにより、通信装置へ第２の参照信号を送信するよう更に構成される。したがって、通信装置が、第２の参照信号に従って、通信装置と第１のＵＥとの間の第２のチャネルの第２のチャネル情報を推定し、第１のチャネル情報及び第２のチャネル情報に従って相互依存性較正を実行できるようにする。
【０１６５】
任意で、通信装置が第２のＵＥであるとき、受信機８２は、通信ユニット８１を使用することにより、第１の較正要求に従って基地局により送信されるスケジューリング情報を受信するよう更に構成される。前述のスケジューリング情報は、第１のＵＥの識別子、第２のＵＥの識別子、及び時間周波数リソースを含む。
【０１６６】
任意で、通信装置が基地局であるとき、受信機８３は、通信ユニット８１を使用することにより、基地局へ第２の較正要求を送信するよう更に構成され、スケジューリング情報は、第２の較正要求が受信されることに従って基地局により送信される。前述のスケジューリング情報は、第１のＵＥの識別子、及び時間周波数リソースを含む。
【０１６７】
本発明の本実施形態において提供される第１のＵＥによると、第１のＵＥは、通信装置により送信される第１の参照信号に従って第１のＵＥと通信装置との間の第１のチャネルの第１のチャネル情報を推定し、第１のチャネル情報を基地局にフィードバックして、基地局が、第１のチャネル情報と、第１のＵＥと通信装置との間の第２のチャネルの且つ第１のＵＥにより報告される第２の参照信号に従って推定される第２のチャネル情報と、に従ってＵＥ間の相互依存性誤り較正を実行できるようにし、それにより、通信システムの性能を保証する。
【０１６８】
本発明の本実施形態における第１のＵＥのユニット分割は例であり、実際には、本発明の本実施形態における第１のＵＥを形成するために複数のユニット分割方法が存在し得る。
【０１６９】
本発明の一実施形態は、通信システムを提供し、図１３に示されるように通信システムが基地局であるとき、通信システム９は、基地局９１と、少なくとも１つの第１のユーザ機器ＵＥ９２と、を含む。
【０１７０】
基地局９１は、各々の第１のユーザ機器ＵＥ９２へ第１の参照信号を送信するよう構成される。
【０１７１】
任意の第１のＵＥ９２は、基地局９１により送信される第１の参照信号に従って、任意の第１のＵＥ９２と基地局９１との間の第１のチャネルの第１のチャネル情報を推定し、第１のチャネル情報を基地局９１へ送信するよう構成され、及び第２の参照信号を基地局９１へ送信するよう更に構成される。
【０１７２】
基地局９１は、受信した第２の参照信号に従って、基地局９１と任意の第１のＵＥ９２との間の第２のチャネルの第２のチャネル情報を推定し、第１のチャネル情報及び第２のチャネル情報に従って相互依存性較正を実行するよう更に構成される。
【０１７３】
本発明の本実施形態において提供される通信システムによると、基地局は、各第１のＵＥと通信装置との間の第１のチャネルの且つ基地局により送信される第１の参照信号に従って各第１のＵＥにより推定される第１のチャネル情報と、各第１のＵＥと通信装置との間の第２のチャネルの且つ各第１のＵＥにより報告される第２の参照信号に従って推定される第２のチャネル情報と、を受信し、前述の第１のチャネル情報及び前述の第２のチャネル情報に従ってＵＥ間の相互依存性誤り較正を実行できるようにし、それにより、通信システムの性能を保証する。
【０１７４】
本発明の一実施形態は、通信システムを提供し、図１４に示されるように通信システムが基地局であるとき、通信システムＳ１０は、第２のＵＥ  Ｓ１０１と、少なくとも１つの第１のＵＥ  Ｓ１０２と、を含む。
【０１７５】
第２のＵＥ  Ｓ１０１は、各々の第１のユーザ機器ＵＥ  Ｓ１０２へ第１の参照信号を送信するよう構成される。
【０１７６】
任意の第１のＵＥ  Ｓ１０２は、第２のＵＥ  Ｓ１０１により送信される第１の参照信号に従って、任意の第１のＵＥ  Ｓ１０２と第２のＵＥ  Ｓ１０１との間の第１のチャネルの第１のチャネル情報を推定し、第１のチャネル情報を第２のＵＥ  Ｓ１０１へ送信するよう構成され、及び第２の参照信号を第２のＵＥ  Ｓ１０１へ送信するよう更に構成される。
【０１７７】
第２のＵＥ  Ｓ１０１は、受信した第２の参照信号に従って、第２のＵＥ  Ｓ１０１と任意の第１のＵＥ  Ｓ１０２との間の第２のチャネルの第２のチャネル情報を推定し、第１のチャネル情報及び第２のチャネル情報に従って相互依存性較正を実行するよう更に構成される。
【０１７８】
本発明の本実施形態において提供される通信システムによると、第２のＵＥは、各第１のＵＥと第２のＵＥとの間の第１のチャネルの且つ基地局により送信される第１の参照信号に従って各第１のＵＥにより推定される第１のチャネル情報と、各第１のＵＥと第２のＵＥとの間の第２のチャネルの且つ各第１のＵＥにより報告される第２の参照信号に従って推定される第２のチャネル情報と、を受信し、前述の第１のチャネル情報及び前述の第２のチャネル情報に従ってＵＥ間の相互依存性誤り較正を実行できるようにし、それにより、通信システムの性能を保証する。
【０１７９】
便宜上及び簡便な説明のために、前述の機能モジュールの分割のみが説明のための例として用いられたことが、当業者に明らかである。実際の用途では、前述の機能は、異なる機能モジュールに割り当てられ及び要件に従って実装されても良い。つまり、装置の内部構造は、前述の機能の全部又は一部を実施するために異なる機能モジュールに分割されても良い。前述のシステム、装置及びユニットの詳細な動作過程では、前述の方法の実施形態の対応する処理が参照され、詳細事項は本願明細書に繰り返し記載されない。
【０１８０】
本願により提供される幾つかの実施形態では、開示のシステム、装置及び方法は他の方法で実装されても良いことが理解されるべきである。例えば、記載した装置の実施形態は単なる例である。例えば、モジュール又はユニットの仕切りは、単なる論理的機能の区分であり、実際の実装では他の区分であっても良い。例えば、複数のユニット又はコンポーネントは、別のシステムに結合又は統合されても良い。或いは、幾つかの機能は無視されるか又は実行されなくても良い。さらに、表示した又は議論した相互結合又は直接結合又は通信接続は、幾つかのインタフェースを使用することにより実装されても良い。装置又はユニット間の間接結合又は通信接続は、電子的、機械的又は他の形式で実装されても良い。
【０１８１】
別個の部分として記載されたユニットは、物理的に別個であってもそうでなくても良い。また、ユニットとして表示された部分は、物理的なユニットであってもそうでなくても良く、１カ所に置かれても良く或いは複数のネットワークユニットに分散されても良い。一部又は全部のユニットは、実施形態のソリューションの目的を達成するために実際の必要に応じて選択されても良い。
【０１８２】
さらに、本願の実施形態における機能ユニットは、１つの処理ユニットに統合されても良く、或いは各ユニットが物理的に単独で存在しても良く、或いは２以上のユニットが１つのユニットに統合されても良い。統合ユニットは、ハードウェアの形式で実装されても良く、ソフトウェア機能ユニットの形式で実装されても良い。
【０１８３】
統合ユニットがソフトウェア機能ユニットの形式で実装され、独立した製品として販売され又は使用されるとき、統合ユニットは、コンピュータ可読記憶媒体に格納されても良い。このような理解に基づき、本願の基本的技術的ソリューション、又は従来技術に貢献する部分、又は全部又は一部の技術的ソリューションは、ソフトウェア製品の形式で実施されても良い。コンピュータソフトウェア製品は、記憶媒体に格納され、コンピュータ装置（パーソナルコンピュータ、サーバ、又はネットワーク装置であっても良い）又はプロセッサ（processor）に、本願の実施形態で記載された方法のステップの全部又は一部を実行するよう指示する複数の命令を含む。前述の記憶媒体は、ＵＳＢフラッシュディスク、取り外し可能ハードディスク、読み出し専用メモリ（ROM、Read−Only  Memory）、ランダムアクセスメモリ（RAM、Random  Access  Memory）、磁気ディスク又は光ディスクのような、プログラムコードを格納可能な任意の媒体を有する。
【０１８４】
前述の実施形態は、本願を限定するのではなく、単に本願の技術的ソリューションを説明することを目的とする。本願は、前述の実施形態を参照して詳細に説明されたが、当業者は、本願の実施形態の技術的ソリューションの精神及び範囲から逸脱することなく、彼らが前述の実施形態で説明した技術的ソリューションに変更を行い、又はそれら実施形態の幾つかの技術的特徴の等価な置換を生成できることを理解すべきである。
【図１】
2017513365.tif 000003
【図２】
2017513365.tif 000004
【図３】
2017513365.tif 000005
【図４】
2017513365.tif 000006
【図５】
2017513365.tif 000007
【図６】
2017513365.tif 000008
【図７】
2017513365.tif 000009
【図８】
2017513365.tif 000010
【図９】
2017513365.tif 000011
【図１０】
2017513365.tif 000012
【図１１】
2017513365.tif 000013
【図１２】
2017513365.tif 000014
【図１３】
2017513365.tif 000015
【図１４】
2017513365.tif 000016
【手続補正書】
【提出日】平成28年10月26日(2016.10.26)
【手続補正１】
【補正対象書類名】明細書
【補正対象項目名】０００３
【補正方法】変更
【補正の内容】
【０００３】
しかしながら、アンテナに対して相互依存性較正を実行するとき、従来技術では、基地局側のアンテナの相互依存性誤りが、概して基地局のアンテナの自己較正を使用することにより通常解決され得ることが見出された。現在、しかしながら、ＵＥ（User  Equipment、ユーザ機器）側のＵＥ間のアンテナの相互依存性誤りの問題は、適用シナリオにおける制限のために十分に注目されず、したがって、未だ効果的に解決されていない。
【手続補正２】
【補正対象書類名】明細書
【補正対象項目名】００５１
【補正方法】変更
【補正の内容】
【００５１】
例えば、本発明において記載される通信システムでは、各ＵＥは、通信システムにおいて異なるＵＥを区別するために使用される（例えば、第１のＵＥと第２のＵＥとを区別するために使用される）ユニークなＵＥ識別子を割り当てられる。さらに、前述の時間周波数リソースは、通信装置が第１の参照信号を第１のＵＥへ送信するとき、第１の参照信号の特定の時間周波数ドメイン位置であり、第１のＵＥが第２の参照信号を通信装置へ送信するとき、第２の参照信号の特定の時間周波数ドメイン位置である。したがって、第１のＵＥは、通信装置により送信される第１の参照信号を正確且つ効率的に取得できる。また、通信装置は、第１のＵＥにより送信される第２の参照信号を正確且つ効率的に取得できる。
本発明の本実施形態において提供されるＵＥ間の相互依存性較正のための方法によると、第１のＵＥは、通信装置により送信される第１の参照信号に従って第１のＵＥと通信装置との間の第１のチャネルの第１のチャネル情報を推定し、第１のチャネル情報を通信装置にフィードバックして、通信装置が、第１のチャネル情報と、第１のＵＥと通信装置との間の第２のチャネルの且つ第１のＵＥにより報告される第２の参照信号に従って推定される第２のチャネル情報と、に従ってＵＥ間の相互依存性誤り較正を実行できるようにし、それにより、通信システムの性能を保証する。
【手続補正３】
【補正対象書類名】明細書
【補正対象項目名】００７２
【補正方法】変更
【補正の内容】
【００７２】
３０２．基地局は、第１の較正要求に従って、スケジューリング情報を通信装置及び第１のＵＥへ送信する。
【手続補正４】
【補正対象書類名】明細書
【補正対象項目名】００９４
【補正方法】変更
【補正の内容】
【００９４】
例えば、本実施形態では、通信システムは、１つの第１のＵＥを含んでも良く、又は複数の第１のＵＥを含んでも良い。実際の適用では、通信システムは、通常、複数の第１のＵＥを含み、複数のＵＥの間の相互依存性較正を実行する。具体的には、少なくとも１つの第１のＵＥの中の各々の第１のＵＥが第２の較正要求を基地局へ送信した後に、基地局は、第２の較正要求に従って、スケジューリング情報を各々の第１のＵＥへ送信する。したがって、各々の第１のＵＥが、スケジューリング情報に従って第１の参照信号を迅速且つ正確に取得できるようになる。前述のスケジューリング情報は、各々の第１のＵＥの識別子、及び時間周波数リソースを含むが、これらに限定されない。具体的には、本発明において記載される通信システムでは、各ＵＥは、通信システムにおいて複数の異なる第１のＵＥを区別するために使用されるユニークなＵＥ識別子を割り当てられる。さらに、前述の時間周波数リソースは、通信装置が第１の参照信号を第１のＵＥへ送信するとき、第１の参照信号の特定の時間周波数ドメイン位置である。したがって、第１のＵＥは、基地局により送信される第１の参照信号を正確に且つ効率的に取得でき、通信装置は、第１のＵＥにより送信される第２の参照信号を正確に且つ効率的に取得できる。
【手続補正５】
【補正対象書類名】明細書
【補正対象項目名】０１０７
【補正方法】変更
【補正の内容】
【０１０７】
例えば、本実施形態では、２つの第１のＵＥ（単に例として本願明細書において用いられるが、特定の適用における２つの第１のＵＥに限定されない）は、ユーザ端の一例として使用される。つまり、ＵＥ１及びＵＥ２は一例として使用される。さらに、本実施形態における基地局は、具体的にはダウンリンクスケジューリングを使用することにより、ＵＥ１及びＵＥ２に較正のための構成情報を割り当てる。ここで、スケジューリング情報は、制御チャネル又は別のチャネルを使用することにより、較正に関係する全ての第１のＵＥへ、又はスケジューリング情報を次に別のユーザへ転送する幾つかのＵＥへ、送信され得る。具体的には、本実施形態において提供されるＵＥ間の相互依存性較正の処理は次の通りである。先ず、ＵＥ１及びＵＥ２は、第２の参照信号を基地局へ別個に送信する。基地局は、第２の参照信号に従って、ＵＥ１及びＵＥ２の第２のチャネル（つまり、アップリンク）の第２のチャネル情報を別個に推定する。具体的には以下に示す通りである。
ＨＵ１＝αｔ１・ｈ１・βｒ    式（５）
ＨＵ２＝αｔ２・ｈ２・βｒ    式（６）
【手続補正６】
【補正対象書類名】明細書
【補正対象項目名】０１０８
【補正方法】変更
【補正の内容】
【０１０８】
前述のαｔ１はＵＥ１の送信チャネル係数である。前述のαｔ２はＵＥ２の送信チャネル係数である。前述のｈ１はＵＥ１と基地局との間の空間チャネルである。前述のｈ２はＵＥ２と基地局との間の空間チャネルである。βｒは基地局の受信機の受信チャネル係数である。ＵＥ１及びＵＥ２が第２の参照信号を基地局へ別個に送信するとき、基地局は、第１の参照信号をＵＥ１及びＵＥ２へ送信し、ＵＥ１及びＵＥ２は、基地局により送信される第１の参照信号に従って、第１のチャネル（ダウンリンク）の第１のチャネル情報を別個に推定する。具体的には以下に示される通りである。
ＨＤ１＝αｒ１・ｈ１・βｔ    式（７）
ＨＤ２＝αｒ２・ｈ２・βｔ    式（８）
【手続補正７】
【補正対象書類名】明細書
【補正対象項目名】０１０９
【補正方法】変更
【補正の内容】
【０１０９】
前述のαｒ１はＵＥ１の受信チャネル係数である。前述のαｒ２はＵＥ２の受信チャネル係数である。βｔは基地局の送信機の送信チャネル係数である。
【手続補正８】
【補正対象書類名】明細書
【補正対象項目名】０１３２
【補正方法】変更
【補正の内容】
【０１３２】
本発明の一実施形態は、図１乃至図４に示す実施形態の中の第１のＵＥを実施するよう構成され得る第１のユーザ機器ＵＥを提供する。本発明の本実施形態において提供される第１のＵＥの機能、動作メカニズム、関連する技術用語、及び概念のような内容については、図１乃至図４に示される実施形態が参照されても良い。図８に示すように、第１のＵＥ６は、第１の受信ユニット６１と、第１の送信ユニット６２と、第２の送信ユニット６３と、を含む。
【手続補正９】
【補正対象書類名】明細書
【補正対象項目名】０１３６
【補正方法】変更
【補正の内容】
【０１３６】
本発明の本実施形態において提供される第１のＵＥによると、第１のＵＥは、通信装置により送信される第１の参照信号に従って第１のＵＥと通信装置との間の第１のチャネルの第１のチャネル情報を推定し、第１のチャネル情報を通信装置にフィードバックして、通信装置が、第１のチャネル情報と、第１のＵＥと通信装置との間の第２のチャネルの且つ第１のＵＥにより報告される第２の参照信号に従って推定される第２のチャネル情報と、に従ってＵＥ間の相互依存性誤り較正を実行できるようにし、それにより、通信システムの性能を保証する。
【手続補正１０】
【補正対象書類名】明細書
【補正対象項目名】０１４４
【補正方法】変更
【補正の内容】
【０１４４】
本発明の本実施形態において提供される第１のＵＥによると、第１のＵＥは、通信装置により送信される第１の参照信号に従って第１のＵＥと通信装置との間の第１のチャネルの第１のチャネル情報を推定し、第１のチャネル情報を通信装置にフィードバックして、通信装置が、第１のチャネル情報と、第１のＵＥと通信装置との間の第２のチャネルの且つ第１のＵＥにより報告される第２の参照信号に従って推定される第２のチャネル情報と、に従ってＵＥ間の相互依存性誤り較正を実行できるようにし、それにより、通信システムの性能を保証する。
【手続補正１１】
【補正対象書類名】明細書
【補正対象項目名】０１６７
【補正方法】変更
【補正の内容】
【０１６７】
本発明の本実施形態において提供される第１のＵＥによると、第１のＵＥは、通信装置により送信される第１の参照信号に従って第１のＵＥと通信装置との間の第１のチャネルの第１のチャネル情報を推定し、第１のチャネル情報を通信装置にフィードバックして、通信装置が、第１のチャネル情報と、第１のＵＥと通信装置との間の第２のチャネルの且つ第１のＵＥにより報告される第２の参照信号に従って推定される第２のチャネル情報と、に従ってＵＥ間の相互依存性誤り較正を実行できるようにし、それにより、通信システムの性能を保証する。
【手続補正１２】
【補正対象書類名】特許請求の範囲
【補正対象項目名】全文
【補正方法】変更
【補正の内容】
【特許請求の範囲】
【請求項１】
ＵＥの間の相互依存性較正のための方法であって、
第１のユーザ機器（ＵＥ）が、第１の参照信号に従って、前記第１のＵＥと通信装置との間の第１のチャネルの第１のチャネル情報を推定できるように、前記通信装置により、前記第１のＵＥへ前記第１の参照信号を送信するステップと、
前記第１のＵＥによりフィードバックされる前記第１のチャネル情報を受信するステップと、
前記第１のＵＥにより送信される第２の参照信号を受信するステップと、
前記第２の参照信号に従って、前記通信装置と前記第１のＵＥとの間の第２のチャネルの第２のチャネル情報を推定するステップと、
前記第１のチャネル情報及び前記第２のチャネル情報に従って、相互依存性較正を実行するステップと、
を含む方法。
【請求項２】
前記通信装置が第２のＵＥであるとき、通信装置により第１のユーザ機器（ＵＥ）へ第１の参照信号を送信する前に、前記方法は、
基地局が第１の較正要求に従って前記第２のＵＥ及び前記第１のＵＥへスケジューリング情報を送信できるように、前記第２のＵＥにより、前記基地局へ前記第１の較正要求を送信するステップであって、前記スケジューリング情報は、前記第１のＵＥの識別子、前記第２のＵＥの識別子、及び時間周波数リソースを有する、ステップと、
を更に含む請求項１に記載の方法。
【請求項３】
前記通信装置が基地局であるとき、通信装置により第１のユーザ機器（ＵＥ）へ第１の参照信号を送信する前に、前記方法は、
前記基地局により、前記第１のＵＥにより送信される第２の較正要求を受信し、前記第２の較正要求に従って前記第１のＵＥへスケジューリング情報を送信するステップであって、前記スケジューリング情報は、前記第１のＵＥの識別子及び時間周波数リソースを有する、ステップと、
を更に含む請求項１に記載の方法。
【請求項４】
前記第１のチャネル情報及び前記第２のチャネル情報に従って相互依存性較正を実行するステップは、
前記第１のチャネル情報に対応する第１のチャネル行列が前記第２のチャネル情報に対応する第２のチャネル行列に等しくなるように、相互依存性係数を調整するステップ、
を含む、請求項１乃至３のいずれか一項に記載の方法。
【請求項５】
ＵＥの間の相互依存性較正のための方法であって、
第１のユーザ機器（ＵＥ）により、通信装置により送信される第１の参照信号を受信し、前記第１の参照信号に従って、前記第１のＵＥと前記通信装置との間の第１のチャネルの第１のチャネル情報を推定するステップと、
前記通信装置へ前記第１のチャネル情報を送信するステップと、
前記通信装置が、第２の参照信号に従って、前記通信装置と前記第１のＵＥとの間の第２のチャネルの第２のチャネル情報を推定し、前記第１のチャネル情報及び前記第２のチャネル情報に従って相互依存性較正を実行できるように、前記通信装置へ前記第２の参照信号を送信するステップと、
を含む方法。
【請求項６】
前記通信装置が第２のＵＥであるとき、第１のユーザ機器（ＵＥ）により、通信装置により送信される第１の参照信号を受信する前に、前記方法は、
前記第２のＵＥにより送信される第１の較正要求に従って基地局により送信されるスケジューリング情報を受信するステップであって、前記スケジューリング情報は、前記第１のＵＥの識別子、前記第２のＵＥの識別子、及び時間周波数リソースを有する、ステップと、
を更に含む請求項５に記載の方法。
【請求項７】
前記通信装置が基地局であるとき、第１のユーザ機器（ＵＥ）により、通信装置により送信される第１の参照信号を受信する前に、前記方法は、
前記基地局へ第２の較正要求を送信するステップと、
前記第２の較正要求に従って前記基地局により送信されるスケジューリング情報を受信するステップであって、前記スケジューリング情報は、前記第１のＵＥの識別子及び時間周波数リソースを有する、ステップと、
を更に含む請求項５に記載の方法。
【請求項８】
第１のユーザ機器（ＵＥ）が第１の参照信号に従って前記第１のＵＥと通信装置との間の第１のチャネルの第１のチャネル情報を推定できるように、前記第１の参照信号を前記第１のＵＥへ送信するよう構成される第１の送信ユニットと、
前記第１のＵＥによりフィードバックされる前記第１のチャネル情報を受信するよう構成される第１の受信ユニットと、
前記第１のＵＥにより送信される第２の参照信号を受信するよう構成される第２の受信ユニットと、
前記第２の受信ユニットにより受信される前記第２の参照信号に従って、前記通信装置と前記第１のＵＥとの間の第２のチャネルの第２のチャネル情報を推定するよう構成される推定ユニットと、
前記第１の受信ユニットにより受信される前記第１のチャネル情報と前記推定ユニットにより推定される前記第２のチャネル情報とに従って、相互依存性較正を実行するよう構成される較正ユニットと、
を含む通信装置。
【請求項９】
前記通信装置が第２のＵＥであるとき、前記通信装置は、
基地局が第１の較正要求に従って前記第２のＵＥ及び前記第１のＵＥへスケジューリング情報を送信できるように、前記基地局へ前記第１の較正要求を送信するよう構成される第２の送信ユニットであって、前記スケジューリング情報は、前記第１のＵＥの識別子、前記第２のＵＥの識別子、及び時間周波数リソースを有する、第２の送信ユニットと、
を更に含む請求項８に記載の通信装置。
【請求項１０】
前記通信装置が基地局であるとき、前記通信装置は、
前記第１のＵＥにより送信される第２の較正要求を受信するよう構成される第３の受信ユニットと、
前記第３の受信ユニットにより受信される前記第２の較正要求に従って、前記第１のＵＥへスケジューリング情報を送信するよう構成される第２の送信ユニットであって、前記スケジューリング情報は、前記第１のＵＥの識別子、及び時間周波数リソースを有する、第２の送信ユニットと、
を更に含む請求項８に記載の通信装置。
【請求項１１】
前記較正ユニットは、
第１のチャネル情報に対応する第１のチャネル行列が第２のチャネル情報に対応する第２のチャネル行列に等しくなるように、相互依存性係数を調整する、
よう構成される、請求項８乃至１０のいずれか一項に記載の通信装置。
【請求項１２】
第１のユーザ機器（ＵＥ）であって、
通信装置により送信される第１の参照信号を受信するよう構成される第１の受信ユニットであって、前記第１のＵＥと前記通信装置との間の第１のチャネルの第１のチャネル情報は、前記第１の参照信号に従って推定される、第１の受信ユニットと、
前記通信装置へ前記第１のチャネル情報を送信するよう構成される第１の送信ユニットと、
前記通信装置が、第２の参照信号に従って、前記通信装置と前記第１のＵＥとの間の第２のチャネルの第２のチャネル情報を推定し、前記第１のチャネル情報及び前記第２のチャネル情報に従って相互依存性較正を実行できるように、前記通信装置へ前記第２の参照信号を送信するよう構成される第２の送信ユニットと、
を含む第１のＵＥ。
【請求項１３】
前記通信装置が第２のＵＥであるとき、前記第１のＵＥは、
第１の較正要求に従って基地局により送信されるスケジューリング情報を受信するよう構成される第２の受信ユニットであって、前記スケジューリング情報は、前記第１のＵＥの識別子、前記第２のＵＥの識別子、及び時間周波数リソースを有する、第２の受信ユニット、
を更に含む請求項１２に記載の第１のＵＥ。
【請求項１４】
前記通信装置が基地局であるとき、前記第１のＵＥは、
前記基地局へ第２の較正要求を送信するよう構成される第３の送信ユニットと、
前記第２の較正要求に従って、前記基地局により送信されるスケジューリング情報を受信するよう構成される第２の受信ユニットであって、前記スケジューリング情報は、前記第１のＵＥの識別子、及び時間周波数リソースを有する、第２の受信ユニットと、
を更に含む請求項１２に記載の第１のＵＥ。
【請求項１５】
通信装置であって、
外部装置と通信するよう構成される通信ユニットと、
第１のユーザ機器（ＵＥ）が、第１の参照信号に従って、前記第１のＵＥと前記通信装置との間の第１のチャネルの第１のチャネル情報を推定できるように、前記通信ユニットを使用することにより、前記第１のＵＥへ前記第１の参照信号を送信するよう構成される送信機と、
前記通信ユニットを使用することにより、前記第１のＵＥによりフィードバックされる前記第１のチャネル情報を受信するよう構成される受信機であって、前記受信機は、前記通信ユニットを使用することにより、前記第１のＵＥにより送信される第２の参照信号を受信するよう更に構成される、受信機と、
前記第２の参照信号に従って、前記通信装置と前記第１のＵＥとの間の第２のチャネルの第２のチャネル情報を推定するよう構成されるプロセッサであって、前記プロセッサは、前記第１のチャネル情報と前記第２のチャネル情報とに従って、相互依存性較正を実行するよう更に構成される、プロセッサと、
を含む通信装置。
【請求項１６】
前記通信装置が第２のＵＥであるとき、前記送信機は、基地局が第１の較正要求に従って前記第２のＵＥ及び前記第１のＵＥへスケジューリング情報を送信できるように、前記通信ユニットを使用することにより、前記基地局へ前記第１の較正要求を送信するよう更に構成され、前記スケジューリング情報は、前記第１のＵＥの識別子、前記第２のＵＥの識別子、及び時間周波数リソースを有する、
請求項１５に記載の通信装置。
【請求項１７】
前記通信装置が基地局であるとき、前記受信機は、前記通信ユニットを使用することにより、前記第１のＵＥにより送信される第２の較正要求を受信するよう更に構成され、スケジューリング情報は、前記第２の較正要求に従って、前記第１のＵＥへを送信され、前記スケジューリング情報は、前記第１のＵＥの識別子、及び時間周波数リソースを有する、
請求項１５に記載の通信装置。
【請求項１８】
前記プロセッサは、前記第１のチャネル情報に対応する第１のチャネル行列が前記第２のチャネル情報に対応する第２のチャネル行列に等しくなるように、相互依存性係数を調整するよう構成される、
請求項１５乃至１７のいずれか一項に記載の通信装置。
【請求項１９】
第１のユーザ機器（ＵＥ）であって、
外部装置と通信するよう構成される通信ユニットと、
前記通信ユニットを使用することにより、通信装置により送信される第１の参照信号を受信するよう構成される受信機であって、前記第１のＵＥと前記通信装置との間の第１のチャネルの第１のチャネル情報は、前記第１の参照信号に従って推定される、第１の受信機と、
前記通信ユニットを使用することにより、前記通信装置へ前記第１のチャネル情報を送信するよう構成される送信機と、
を含み、
前記送信機は、前記通信装置が、第２の参照信号に従って、前記通信装置と前記第１のＵＥとの間の第２のチャネルの第２のチャネル情報を推定し、前記第１のチャネル情報及び前記第２のチャネル情報に従って相互依存性較正を実行できるように、前記通信ユニットを使用することにより、前記通信装置へ前記第２の参照信号を送信するよう更に構成される、
第１のＵＥ。
【請求項２０】
前記通信装置が第２のＵＥであるとき、前記受信機は、前記通信ユニットを使用することにより、第１の較正要求に従って基地局により送信されるスケジューリング情報を受信するよう更に構成され、前記スケジューリング情報は、前記第１のＵＥの識別子、前記第２のＵＥの識別子、及び時間周波数リソースを有する、請求項１９に記載の第１のＵＥ。
【請求項２１】
前記通信装置が基地局であるとき、前記送信機は、前記通信ユニットを使用することにより、前記基地局へ第２の較正要求を送信するよう更に構成され、前記第２の較正要求に従って前記基地局により送信されるスケジューリング情報が受信され、前記スケジューリング情報は、前記第１のＵＥの識別子、及び時間周波数リソースを有する、
請求項１９に記載の第１のＵＥ。
【請求項２２】
通信システムであって、通信装置と第１のユーザ機器（ＵＥ）とを含み、前記通信装置は、請求項８乃至１１のいずれか一項に記載の通信装置であり、且つ、前記第１のＵＥは、請求項１２乃至１４のいずれか一項に記載の第１のＵＥであり、又は前記通信装置は、請求項１５乃至１８のいずれか一項に記載の通信装置であり、且つ、前記第１のＵＥは、請求項１９乃至２１のいずれか一項に記載の第１のＵＥである、通信システム。
【手続補正１３】
【補正対象書類名】図面
【補正対象項目名】図４
【補正方法】変更
【補正の内容】
【図４】
2017513365.tif 000017
【国際調査報告】
2017513365.tif 000018
2017513365.tif 000019
2017513365.tif 000020
2017513365.tif 000021